(57)【要約】  本出願は、不連続受信方法、ネットワーク装置と端末装置を開示する。該方法は、ネットワーク装置が端末装置の属する装置グループの情報に基づき、該端末装置に対応する第一のシーケンスを確定し、該第一のシーケンスが該第一のシーケンスの後のＤＲＸ周期内のアクティブ期間内でウェイクアップ又はスリープするように該端末装置に指示することに用いられ、該端末装置がＭ個の装置グループのうちの一つの装置グループに属し、該第一のシーケンスが該端末装置の属する装置グループに対応し、該Ｍ個の装置グループ内の異なる装置グループが異なる第一のシーケンスに対応することと、ネットワーク装置が該端末装置へＤＲＸ指示信号を送信し、該ＤＲＸ指示信号が前記第一のシーケンスを含むこととを含む。該第一のシーケンスが端末装置の装置グループなどの特定情報と関連するため、異なる属性の端末装置はそれ自体に属する第一のシーケンスを効果的に識別し、該第一のシーケンスの指示に応じて第一のシーケンスの後のＤＲＸ周期内でウェイクアップ又はスリープすることができる。
2021500768.tif 000002
【特許請求の範囲】
【請求項１】
不連続受信方法であって、
ネットワーク装置が、端末装置の属する装置グループの情報に基づき、前記端末装置に対応する第一のシーケンスを確定し、前記第一のシーケンスが、前記第一のシーケンスの後の不連続受信（ＤＲＸ）周期内のアクティブ期間内でウェイクアップ又はスリープするように前記端末装置に指示することに用いられ、前記端末装置がＭ個の装置グループのうちの一つの装置グループに属し、前記第一のシーケンスが前記端末装置の属する装置グループに対応し、前記Ｍ個の装置グループ内の異なる装置グループが異なる第一のシーケンスに対応し、Ｍが正整数であることと、
前記ネットワーク装置が、前記端末装置へＤＲＸ指示信号を送信し、前記端末装置が前記第一のシーケンスに基づき、前記第一のシーケンスの後のＤＲＸ周期内のアクティブ期間内でウェイクアップ又はスリープするようにし、前記ＤＲＸ指示信号が前記第一のシーケンスを含むこととを含む、前記不連続受信方法。
【請求項２】
前記ネットワーク装置が、端末装置の属する装置グループの情報に基づき、前記端末装置に対応する第一のシーケンスを確定する前に、前記方法はさらに、
前記ネットワーク装置が、前記端末装置の装置識別子（ＵＥ−ＩＤ）又は前記端末装置のアクセスレベルに基づいて前記端末装置の属する装置グループを確定することを含むことを特徴とする
請求項１に記載の方法。
【請求項３】
前記Ｍ個の装置グループに対応するＭ個の第一のシーケンスはＭ個の直交シーケンス、又はオフセット値が異なるＭ個のＺＣシーケンスであることを特徴とする
請求項１又は２に記載の方法。
【請求項４】
前記ネットワーク装置が、端末装置の属する装置グループの情報に基づき、前記端末装置に対応する第一のシーケンスを確定することは、
前記ネットワーク装置が、前記端末装置の属する装置グループ、及び前記端末装置の位置するページング領域（ＴＡ）に基づいて前記端末装置に対応する前記第一のシーケンスを確定することを含むことを特徴とする
請求項１又は２に記載の方法。
【請求項５】
前記端末装置がＮ個のＴＡグループのうちの一つのＴＡグループに属し、ここで、前記Ｍ個の装置グループの全ての端末装置のうち、異なる装置グルールに属し且つ異なるＴＡグループに属するＭ×Ｎ個の端末装置に対応するＭ×Ｎ個の第一のシーケンスは、Ｍ×Ｎ個の直交シーケンス、又はオフセット値が異なるＭ×Ｎ個のＺＣシーケンスであり、
又は、前記Ｍ個の装置グループに対応するＭ個の第一のシーケンスはオフセット値が異なるＭ個のＺＣシーケンスであり、且つ異なるＴＡグループに属する端末装置に対応するＺＣシーケンスは異なる第一のスクランブルコードによってスクランブルされ、前記異なる第一のスクランブルコードが前記異なるＴＡグループに基づいて生成され、Ｎが正整数であることを特徴とする
請求項４に記載の方法。
【請求項６】
前記端末装置の属するＴＡグループの番号がｍｏｄ（ＴＡ  ｃｏｄｅ、Ｎ）であり、前記ＴＡ  ｃｏｄｅが前記端末装置の位置するＴＡのＴＡコードであることを特徴とする
請求項５に記載の方法。
【請求項７】
前記ネットワーク装置が前記端末装置の属する装置グループの情報に基づき、前記端末装置に対応する前記第一のシーケンスを確定することは、
前記ネットワーク装置が、前記端末装置の属する装置グループ、及び前記端末装置の位置するセルの物理セル識別子（ＰＣＩ）に基づいて前記端末装置に対応する前記第一のシーケンスを確定することを含むことを特徴とする
請求項１又は２に記載の方法。
【請求項８】
複数のセルが複数の初期シーケンスに対応し、前記複数のセルのそれぞれに対応する初期シーケンスが前記各セルのＰＣＩに基づいて生成され、Ｍ個の装置グループがＭ個の第二のスクランブルコードに対応し、前記各セルのうちの異なる装置グループに属する端末装置に対応する初期シーケンスは異なる第二のスクランブルコードによってスクランブルされることを特徴とする
請求項７に記載の方法。
【請求項９】
前記ネットワーク装置が前記端末装置へ前記端末装置のＤＲＸ指示信号を送信することは、
前記ネットワーク装置が、ＴＡ内の他のネットワーク装置と単一周波数ネットワーク（ＳＦＮ）を介して前記端末装置へ前記第一のシーケンスを同時に送信することを含むことを特徴とする
請求項１−８のいずれか一項に記載の方法。
【請求項１０】
前記ネットワーク装置が、ＴＡ内の他のネットワーク装置と単一周波数ネットワーク（ＳＦＮ）を介して前記端末装置へ前記第一のシーケンスを同時に送信することは、
前記ネットワーク装置が、拡張サイクリックプレフィックス（ＥＣＰ）を用いて前記端末装置へ前記第一のシーケンスを送信することを含むことを特徴とする
請求項９に記載の方法。
【請求項１１】
前記ＤＲＸ指示信号はさらに第二のシーケンスを含み、
ここで、前記ネットワーク装置が前記端末装置へ前記ＤＲＸ情報を送信する前に、前記方法はさらに、
前記ネットワーク装置が、前記端末装置の位置するセルのＰＣＩに基づき、前記第二のシーケンスを生成し、前記第二のシーケンスが、前記端末装置が時間周波数同期を行うことに用いられることを含むことを特徴とする
請求項１−１０のいずれか一項に記載の方法。
【請求項１２】
前記第一のシーケンスは時間的に前記第二のシーケンスの前又は前記第二のシーケンスの後に位置することを特徴とする
請求項１１に記載の方法。
【請求項１３】
前記端末装置の位置するセルのＰＣＩは、
長期進化型（ＬＴＥ）システムでのプライマリ同期信号（ＰＳＳ）シーケンス又はセカンダリ同期信号（ＳＳＳ）シーケンス、狭帯域のモノのインターネットシステム（ＮＢ−ＩｏＴ）での狭帯域ＮＢ  ＰＳＳシーケンス又はＮＢ  ＳＳＳシーケンス、５Ｇシステムでの新しい無線ＮＲ  ＰＳＳシーケンス又はＮＲ  ＳＳＳシーケンスのいずれか一つを含むことを特徴とする
請求項１−１２のいずれか一項に記載の方法。
【請求項１４】
不連続受信方法であって、
端末装置が、ネットワーク装置から送信されたＤＲＸ指示信号を受信し、前記ＤＲＸ指示信号が第一のシーケンスを含み、前記第一のシーケンスが、前記第一のシーケンスの後の不連続受信（ＤＲＸ）周期内のアクティブ期間内でウェイクアップ又はスリープするように前記端末装置に指示することに用いられ、前記端末装置がＭ個の装置グループのうちの一つの装置グループに属し、前記第一のシーケンスが前記端末装置の属する装置グループに対応し、前記Ｍ個の装置グループ内の異なる装置グループが異なる第一のシーケンスに対応し、Ｍが正整数であることと、
前記端末装置が、前記第一のシーケンスに基づき、前記第一のシーケンスの後のＤＲＸ周期内のアクティブ期間内でウェイクアップ又はスリープすることとを含む、前記不連続受信方法。
【請求項１５】
前記端末装置の属する装置グループは、前記端末装置の装置識別子（ＵＥ−ＩＤ）又は前記端末装置のアクセスレベルに基づいて確定されることを特徴とする
請求項１４に記載の方法。
【請求項１６】
前記Ｍ個の装置グループに対応するＭ個の第一のシーケンスはＭ個の直交シーケンス、又はオフセット値が異なるＭ個のＺＣシーケンスであることを特徴とする
請求項１４又は１５に記載の方法。
【請求項１７】
前記端末装置に対応する第一のシーケンスは、前記端末装置の属する装置グループ、及び前記端末装置の位置するページング領域（ＴＡ）に基づいて確定されることを特徴とする
請求項１４又は１５に記載の方法。
【請求項１８】
前記端末装置がＮ個のＴＡグループのうちの一つのＴＡグループに属し、ここで、前記Ｍ個の装置グループの全ての端末装置のうち、異なる装置グルールに属し且つ異なるＴＡグループに属するＭ×Ｎ個の端末装置に対応するＭ×Ｎ個の第一のシーケンスは、Ｍ×Ｎ個の直交シーケンス、又はオフセット値が異なるＭ×Ｎ個のＺＣシーケンスであり、
又は、前記Ｍ個の装置グループに対応するＭ個の第一のシーケンスはオフセット値が異なるＭ個のＺＣシーケンスであり、且つ異なるＴＡグループに属する端末装置に対応するＺＣシーケンスは異なる第一のスクランブルコードによってスクランブルされ、前記異なる第一のスクランブルコードが前記異なるＴＡグループに基づいて生成され、Ｎが正整数であることを特徴とする
請求項１７に記載の方法。
【請求項１９】
前記端末装置の属するＴＡグループの番号がｍｏｄ（ＴＡ  ｃｏｄｅ、Ｎ）であり、前記ＴＡ  ｃｏｄｅが前記端末装置の位置するＴＡのＴＡコードであることを特徴とする
請求項１８に記載の方法。
【請求項２０】
前記端末装置に対応する第一のシーケンスは、前記端末装置の属する装置グループの情報、及び前記端末装置の位置するセルの物理セル識別子（ＰＣＩ）に基づいて確定されることを特徴とする
請求項１４又は１５に記載の方法。
【請求項２１】
複数のセルが複数の初期シーケンスに対応し、前記複数のセルのそれぞれに対応する初期シーケンスが前記各セルのＰＣＩに基づいて生成され、Ｍ個の装置グループがＭ個の第二のスクランブルコードに対応し、前記各セルのうちの異なる装置グループに属する端末装置に対応する初期シーケンスは異なる第二のスクランブルコードによってスクランブルされることを特徴とする
請求項２０に記載の方法。
【請求項２２】
前記端末装置がネットワーク装置から送信された前記ＤＲＸ指示信号を受信することは、
前記端末装置が、前記ネットワーク装置とＴＡ内の他のネットワーク装置によって単一周波数ネットワーク（ＳＦＮ）を介して同時に送信された前記第一のシーケンスを受信することを含むことを特徴とする
請求項１４−２１のいずれか一項に記載の方法。
【請求項２３】
前記端末装置が前記ネットワーク装置とＴＡ内の他のネットワーク装置によって単一周波数ネットワーク（ＳＦＮ）を介して同時に送信された前記第一のシーケンスを受信することは、
前記端末装置が、前記ネットワーク装置によって拡張サイクリックプレフィックス（ＥＣＰ）を用いて送信された前記第一のシーケンスを受信することを含むことを特徴とする
請求項２２に記載の方法。
【請求項２４】
前記ＤＲＸ指示信号はさらに第二のシーケンスを含み、前記第二のシーケンスが前記端末装置の位置するセルのＰＣＩに基づいて生成され、
前記第一のシーケンスが前記ＤＲＸ情報の後のＤＲＸ周期内のアクティブ期間内でウェイクアップするように前記端末装置に指示する場合、前記方法はさらに、
前記端末装置が、前記第二のシーケンスに基づいて時間周波数同期を行うことを含むことを特徴とする
請求項１４−２３のいずれか一項に記載の方法。
【請求項２５】
前記第一のシーケンスは時間的に前記第二のシーケンスの前又は前記第二のシーケンスの後に位置することを特徴とする
請求項２４に記載の方法。
【請求項２６】
前記端末装置の位置するセルのＰＣＩは、
長期進化型（ＬＴＥ）システムでのプライマリ同期信号（ＰＳＳ）シーケンス又はセカンダリ同期信号（ＳＳＳ）シーケンス、狭帯域のモノのインターネットシステム（ＮＢ−ＩｏＴ）での狭帯域ＮＢ  ＰＳＳシーケンス又はＮＢ  ＳＳＳシーケンス、５Ｇシステムでの新しい無線ＮＲ  ＰＳＳシーケンス又はＮＲ  ＳＳＳシーケンスのいずれか一つを含むことを特徴とする
請求項１４−２５のいずれか一項に記載の方法。
【請求項２７】
ネットワーク装置であって、
端末装置の属する装置グループの情報に基づき、前記端末装置に対応する第一のシーケンスを確定するように構成され、前記第一のシーケンスが、前記第一のシーケンスの後の不連続受信（ＤＲＸ）周期内のアクティブ期間内でウェイクアップ又はスリープするように前記端末装置に指示することに用いられ、前記端末装置がＭ個の装置グループのうちの一つの装置グループに属し、前記第一のシーケンスが前記端末装置の属する装置グループに対応し、前記Ｍ個の装置グループ内の異なる装置グループが異なる第一のシーケンスに対応する確定ユニットと、
前記端末装置へＤＲＸ指示信号を送信し、前記端末装置が前記第一のシーケンスに基づき、前記第一のシーケンスの後のＤＲＸ周期内のアクティブ期間内でウェイクアップ又はスリープするようにするように構成され、前記ＤＲＸ指示信号が前記確定ユニットによって確定された前記第一のシーケンスを含む送受信ユニットとを備える、前記ネットワーク装置。
【請求項２８】
前記確定ユニットはさらに、
前記端末装置の装置識別子（ＵＥ−ＩＤ）又は前記端末装置のアクセスレベルに基づいて前記端末装置の属する装置グループを確定するように構成されることを特徴とする
請求項２７に記載のネットワーク装置。
【請求項２９】
前記Ｍ個の装置グループに対応するＭ個の第一のシーケンスはＭ個の直交シーケンス、又はオフセット値が異なるＭ個のＺＣシーケンスであることを特徴とする
請求項２７又は２８に記載のネットワーク装置。
【請求項３０】
前記確定ユニットは具体的に、
前記端末装置の属する装置グループ、及び前記端末装置の位置するページング領域（ＴＡ）に基づいて前記端末装置に対応する前記第一のシーケンスを確定するように構成されることを特徴とする
請求項２７又は２８に記載のネットワーク装置。
【請求項３１】
前記端末装置がＮ個のＴＡグループのうちの一つのＴＡグループに属し、ここで、前記Ｍ個の装置グループの全ての端末装置のうち、異なる装置グルールに属し且つ異なるＴＡグループに属するＭ×Ｎ個の端末装置に対応するＭ×Ｎ個の第一のシーケンスは、Ｍ×Ｎ個の直交シーケンス、又はオフセット値が異なるＭ×Ｎ個のＺＣシーケンスであり、
又は、前記Ｍ個の装置グループに対応するＭ個の第一のシーケンスはオフセット値が異なるＭ個のＺＣシーケンスであり、且つ異なるＴＡグループに属する端末装置に対応するＺＣシーケンスは異なる第一のスクランブルコードによってスクランブルされ、前記異なる第一のスクランブルコードが前記異なるＴＡグループに基づいて生成され、Ｎが正整数であることを特徴とする
請求項３０に記載のネットワーク装置。
【請求項３２】
前記端末装置の属するＴＡグループの番号がｍｏｄ（ＴＡ  ｃｏｄｅ、Ｎ）であり、前記ＴＡ  ｃｏｄｅが前記端末装置の位置するＴＡのＴＡコードであることを特徴とする
請求項３１に記載のネットワーク装置。
【請求項３３】
前記確定ユニットは具体的に、
前記端末装置の属する装置グループ、及び前記端末装置の位置するセルの物理セル識別子（ＰＣＩ）に基づいて前記端末装置に対応する前記第一のシーケンスを確定するように構成されることを特徴とする
請求項２７又は２８に記載のネットワーク装置。
【請求項３４】
複数のセルが複数の初期シーケンスに対応し、前記複数のセルのそれぞれに対応する初期シーケンスが前記各セルのＰＣＩに基づいて生成され、Ｍ個の装置グループがＭ個の第二のスクランブルコードに対応し、前記各セルのうちの異なる装置グループに属する端末装置に対応する初期シーケンスは異なる第二のスクランブルコードによってスクランブルされることを特徴とする
請求項３３に記載のネットワーク装置。
【請求項３５】
前記送受信ユニットは具体的に、
ＴＡ内の他のネットワーク装置と単一周波数ネットワーク（ＳＦＮ）を介して前記端末装置へ前記第一のシーケンスを同時に送信するように構成されることを特徴とする
請求項２７−３４のいずれか一項に記載のネットワーク装置。
【請求項３６】
前記送受信ユニットは具体的に、
前記ネットワーク装置が拡張サイクリックプレフィックス（ＥＣＰ）を用いて前記端末装置へ前記第一のシーケンスを送信するように構成されることを特徴とする
請求項３５に記載のネットワーク装置。
【請求項３７】
前記ＤＲＸ指示信号がさらに第二のシーケンスを含み、前記ネットワーク装置はさらに、
前記端末装置の位置するセルのＰＣＩに基づき、前記第二のシーケンスを生成するように構成され、前記第二のシーケンスが、前記端末装置が時間周波数同期を行うことに用いられる処理ユニットを備えることを特徴とする
請求項２７−３６のいずれか一項に記載のネットワーク装置。
【請求項３８】
前記第一のシーケンスは時間的に前記第二のシーケンスの前又は前記第二のシーケンスの後に位置することを特徴とする
請求項３７に記載のネットワーク装置。
【請求項３９】
前記端末装置の位置するセルのＰＣＩは、
長期進化型（ＬＴＥ）システムでのプライマリ同期信号（ＰＳＳ）シーケンス又はセカンダリ同期信号（ＳＳＳ）シーケンス、狭帯域のモノのインターネットシステム（ＮＢ−ＩｏＴ）での狭帯域ＮＢ  ＰＳＳシーケンス又はＮＢ  ＳＳＳシーケンス、５Ｇシステムでの新しい無線ＮＲ  ＰＳＳシーケンス又はＮＲ  ＳＳＳシーケンスのいずれか一つを含むことを特徴とする
請求項２７−３８のいずれか一項に記載のネットワーク装置。
【請求項４０】
不連続受信の端末装置であって、
ネットワーク装置から送信されたＤＲＸ指示信号を受信するように構成され、前記ＤＲＸ指示信号が第一のシーケンスを含み、前記第一のシーケンスが、前記第一のシーケンスの後の不連続受信（ＤＲＸ）周期内のアクティブ期間内でウェイクアップ又はスリープするように前記端末装置に指示することに用いられ、前記端末装置がＭ個の装置グループのうちの一つの装置グループに属し、前記第一のシーケンスが前記端末装置の属する装置グループに対応し、前記Ｍ個の装置グループ内の異なる装置グループが異なる第一のシーケンスに対応し、Ｍが正整数である送受信ユニットと、
前記送受信ユニットによって受信された前記第一のシーケンスに基づき、前記第一のシーケンスの後のＤＲＸ周期内のアクティブ期間内でウェイクアップ又はスリープするように構成される処理ユニットとを備える、不連続受信の端末装置
【請求項４１】
前記端末装置の属する装置グループは、前記端末装置の装置識別子（ＵＥ−ＩＤ）又は前記端末装置のアクセスレベルに基づいて確定されることを特徴とする
請求項４０に記載の端末装置。
【請求項４２】
前記Ｍ個の装置グループに対応するＭ個の第一のシーケンスはＭ個の直交シーケンス、又はオフセット値が異なるＭ個のＺＣシーケンスであることを特徴とする
請求項４０又は４１に記載の端末装置。
【請求項４３】
前記端末装置に対応する第一のシーケンスは、前記端末装置の属する装置グループ、及び前記端末装置の位置するページング領域（ＴＡ）に基づいて確定されることを特徴とする
請求項４０又は４１に記載の端末装置。
【請求項４４】
前記端末装置がＮ個のＴＡグループのうちの一つのＴＡグループに属し、ここで、前記Ｍ個の装置グループの全ての端末装置のうち、異なる装置グルールに属し且つ異なるＴＡグループに属するＭ×Ｎ個の端末装置に対応するＭ×Ｎ個の第一のシーケンスは、Ｍ×Ｎ個の直交シーケンス、又はオフセット値が異なるＭ×Ｎ個のＺＣシーケンスであり、
又は、前記Ｍ個の装置グループに対応するＭ個の第一のシーケンスはオフセット値が異なるＭ個のＺＣシーケンスであり、且つ異なるＴＡグループに属する端末装置に対応するＺＣシーケンスは異なる第一のスクランブルコードによってスクランブルされ、前記異なる第一のスクランブルコードが前記異なるＴＡグループに基づいて生成され、Ｎが正整数であることを特徴とする
請求項４３に記載の端末装置。
【請求項４５】
前記端末装置の属するＴＡグループの番号がｍｏｄ（ＴＡ  ｃｏｄｅ、Ｎ）であり、前記ＴＡ  ｃｏｄｅが前記端末装置の位置するＴＡのＴＡコードであることを特徴とする
請求項４４に記載の端末装置。
【請求項４６】
前記端末装置に対応する第一のシーケンスは、前記端末装置の属する装置グループの情報、及び前記端末装置の位置するセルの物理セル識別子（ＰＣＩ）に基づいて確定されることを特徴とする
請求項４０又は４１に記載の端末装置。
【請求項４７】
複数のセルが複数の初期シーケンスに対応し、前記複数のセルのそれぞれに対応する初期シーケンスが前記各セルのＰＣＩに基づいて生成され、Ｍ個の装置グループがＭ個の第二のスクランブルコードに対応し、前記各セルのうちの異なる装置グループに属する端末装置に対応する初期シーケンスは異なる第二のスクランブルコードによってスクランブルされることを特徴とする
請求項４６に記載の端末装置。
【請求項４８】
前記送受信ユニットは具体的に、
前記ネットワーク装置とＴＡ内の他のネットワーク装置によって単一周波数ネットワーク（ＳＦＮ）を介して同時に送信された前記第一のシーケンスを受信するように構成されることを特徴とする
請求項４０−４７のいずれか一項に記載の端末装置。
【請求項４９】
前記送受信ユニットは具体的に、
前記ネットワーク装置によって拡張サイクリックプレフィックス（ＥＣＰ）を用いて送信された前記第一のシーケンスを受信するように構成されることを特徴とする
請求項４８に記載の端末装置。
【請求項５０】
前記ＤＲＸ指示信号はさらに第二のシーケンスを含み、前記第二のシーケンスが前記端末装置の位置するセルのＰＣＩに基づいて生成され、
前記第一のシーケンスが前記ＤＲＸ情報の後のＤＲＸ周期内のアクティブ期間内でウェイクアップするように前記端末装置に指示する場合、前記処理ユニットはさらに、
前記第二のシーケンスに基づいて時間周波数同期を行うように構成されることを特徴とする
請求項４０−４９のいずれか一項に記載の端末装置。
【請求項５１】
前記第一のシーケンスは時間的に前記第二のシーケンスの前又は前記第二のシーケンスの後に位置することを特徴とする
請求項５０に記載の端末装置。
【請求項５２】
前記端末装置の位置するセルのＰＣＩは、
長期進化型（ＬＴＥ）システムでのプライマリ同期信号（ＰＳＳ）シーケンス又はセカンダリ同期信号（ＳＳＳ）シーケンス、狭帯域のモノのインターネットシステム（ＮＢ−ＩｏＴ）での狭帯域ＮＢ  ＰＳＳシーケンス又はＮＢ  ＳＳＳシーケンス、５Ｇシステムでの新しい無線ＮＲ  ＰＳＳシーケンス又はＮＲ  ＳＳＳシーケンスのいずれか一つを含むことを特徴とする
請求項４０−５１のいずれか一項に記載の端末装置。
【発明の詳細な説明】
【技術分野】
【０００１】
本出願の実施例は、無線通信分野に関し、且つより具体的には、不連続受信方法、ネットワーク装置と端末装置に関する。
【背景技術】
【０００２】
端末装置の節電のため、不連続伝送（ＤＲＸ：Ｄｉｓｃｏｎｔｉｎｕｏｕｓ  Ｒｅｃｅｐｔｉｏｎ）メカニズムが導入される。各ＤＲＸ周期（ＤＲＸ  Ｃｙｃｌｅ）にはアクティブ期間（ｏｎ  ｄｕｒａｔｉｏｎ）とスリープ期間（Ｏｐｐｏｒｔｕｎｉｔｙ  ｆｏｒ  ＤＲＸ）が含まれ、アクティブ期間にある場合、端末装置は制御チャネルを検出するが、スリープ期間にある場合、端末装置は制御チャネルの受信を停止する（この時に端末装置が制御チャネルのブラインド検出を停止する）ことで電力消費を低減することができ、それによってバッテリーの耐用年数が増加する。
【０００３】
ネットワークが端末装置にＤＲＸメカニズムを配置し、端末装置に制御チャネルをアクティブ期間で周期的に検出させるが、端末装置は、アクティブ期間で機会的にスケジューリングされるだけであり、さらに端末装置は負荷が低い場合で、少数のＤＲＸ周期内でしかスケジューリングされることがなく、ＤＲＸメカニズムを用いたページングメッセージの場合、端末がページングメッセージを受信する機会がより少ない。したがって、端末装置は、ＤＲＸメカニズムが配置された後、ほとんどのアクティブ期間内で制御チャネルの検出がされないにもかかわらず、ウェイクアップされるため、不必要な電力消費が増加してしまう。
【発明の概要】
【発明が解決しようとする課題】
【０００４】
本出願の実施例は端末装置の電力消費を低減することができる、不連続受信方法、ネットワーク装置と端末装置を提供する。
【課題を解決するための手段】
【０００５】
第一の態様による不連続受信方法は、ネットワーク装置が、端末装置の属する装置グループの情報に基づき、前記端末装置に対応する第一のシーケンスを確定し、前記第一のシーケンスが、前記第一のシーケンスの後の不連続受信（ＤＲＸ）周期内のアクティブ期間内でウェイクアップ又はスリープするように前記端末装置に指示することに用いられ、前記端末装置がＭ個の装置グループのうちの一つの装置グループに属し、前記第一のシーケンスが前記端末装置の属する装置グループに対応し、前記Ｍ個の装置グループ内の異なる装置グループが異なる第一のシーケンスに対応し、Ｍが正整数であることと、前記ネットワーク装置が前記端末装置へＤＲＸ指示信号を送信し、前記端末装置が前記第一のシーケンスに基づき、前記第一のシーケンスの後のＤＲＸ周期内のアクティブ期間内でウェイクアップ又はスリープするようにし、前記ＤＲＸ指示信号が前記第一のシーケンスを含むこととを含む。
【０００６】
したがって、ネットワーク装置は、端末装置へ第一のシーケンスを含む、端末装置が第一のシーケンスの後のＤＲＸ周期内でウェイクアップ又はスリープする必要があるか否かを示すためのＤＲＸ指示情報を送信し、ウェイクアップする必要がない場合でスリープ状態を維持することにより、電力消費を低減させる。ここで、該第一のシーケンスの設計が端末装置の特定情報例えば端末装置の属する装置グループ、端末装置の属するＴＡグループ、物理セル識別子などの情報と関連するため、異なる属性の端末装置はそれ自体に属する第一のシーケンスを効果的に識別し、該第一のシーケンスに基づいて対応する操作を実行することができる。
【０００７】
一つの可能な実施形態では、前記ネットワーク装置が、端末装置の属する装置グループの情報に基づき、前記端末装置に対応する第一のシーケンスを確定する前に、前記方法はさらに前記ネットワーク装置が前記端末装置の装置識別子（ＵＥ−ＩＤ）又は前記端末装置のアクセスレベルに基づいて、前記端末装置の属する装置グループを確定することを含む。
【０００８】
一つの可能な実施形態では、前記Ｍ個の装置グループに対応するＭ個の第一のシーケンスはＭ個の直交シーケンス、又はオフセット値が異なるＭ個のＺＣシーケンスである。
【０００９】
一つの可能な実施形態では、前記ネットワーク装置が、端末装置の属する装置グループの情報に基づき、前記端末装置に対応する第一のシーケンスを確定することは、前記ネットワーク装置が前記端末装置の属する装置グループ、及び前記端末装置の位置するページング領域（ＴＡ）に基づき、前記端末装置に対応する前記第一のシーケンスを確定することを含む。
【００１０】
一つの可能な実施形態では、前記端末装置がＮ個のＴＡグループのうちの一つのＴＡグループに属し、ここで、前記Ｍ個の装置グループの全ての端末装置のうち、異なる装置グルールに属し且つ異なるＴＡグループに属するＭ×Ｎ個の端末装置に対応するＭ×Ｎ個の第一のシーケンスは、Ｍ×Ｎ個の直交シーケンス、又はオフセット値が異なるＭ×Ｎ個のＺＣシーケンスであり、
又は、前記Ｍ個の装置グループに対応するＭ個の第一のシーケンスはオフセット値が異なるＭ個のＺＣシーケンスであり、且つ異なるＴＡグループに属する端末装置に対応するＺＣシーケンスは異なる第一のスクランブルコードによってスクランブルされ、前記異なる第一のスクランブルコードが前記異なるＴＡグループに基づいて生成され、Ｎが正整数である。
【００１１】
一つの可能な実施形態では、前記端末装置の属するＴＡグループの番号がｍｏｄ（ＴＡ  ｃｏｄｅ、Ｎ）であり、前記ＴＡ  ｃｏｄｅが前記端末装置の位置するＴＡのＴＡコードである。
【００１２】
一つの可能な実施形態では、前記ネットワーク装置が前記端末装置の属する装置グループの情報に基づき、前記端末装置に対応する前記第一のシーケンスを確定することは、前記ネットワーク装置が前記端末装置の属する装置グループ、及び前記端末装置の位置するセルの物理セル識別子（ＰＣＩ）に基づき、前記端末装置に対応する前記第一のシーケンスを確定することを含む。
【００１３】
一つの可能な実施形態では、複数のセルが複数の初期シーケンスに対応し、前記複数のセルのそれぞれに対応する初期シーケンスが前記各セルのＰＣＩに基づいて生成され、Ｍ個の装置グループがＭ個の第二のスクランブルコードに対応し、前記各セルのうちの異なる装置グループに属する端末装置に対応する初期シーケンスは異なる第二のスクランブルコードによってスクランブルされる。
【００１４】
一つの可能な実施形態では、前記ネットワーク装置が前記端末装置へ前記端末装置のＤＲＸ指示信号を送信することは、前記ネットワーク装置とＴＡ内の他のネットワーク装置が単一周波数ネットワーク（ＳＦＮ）を介して前記端末装置へ前記第一のシーケンスを同時に送信することを含む。
【００１５】
一つの可能な実施形態では、前記ネットワーク装置がＴＡ内の他のネットワーク装置とＳＦＮを介して前記端末装置へ前記第一のシーケンスを同時に送信することは、前記ネットワーク装置が拡張サイクリックプレフィックス（ＥＣＰ）を用いて前記端末装置へ前記第一のシーケンスを送信することを含む。
【００１６】
一つの可能な実施形態では、前記ＤＲＸ指示信号がさらに第二のシーケンスを含み、ここで、前記ネットワーク装置が前記端末装置へ前記ＤＲＸ情報を送信する前に、前記方法は、さらに前記ネットワーク装置が前記端末装置の位置するセルのＰＣＩに基づき、前記第二のシーケンスを生成し、前記第二のシーケンスが、前記端末装置が時間周波数同期を行うことに用いられることを含む。
【００１７】
一つの可能な実施形態では、前記第一のシーケンスは時間的に前記第二のシーケンスの前又は前記第二のシーケンスの後に位置する。
【００１８】
一つの可能な実施形態では、前記端末装置の位置するセルのＰＣＩは、長期進化型（ＬＴＥ）システムでのプライマリ同期信号（ＰＳＳ）シーケンス又はセカンダリ同期信号（ＳＳＳ）シーケンス、狭帯域のモノのインターネットシステム（ＮＢ−ＩｏＴ）での狭帯域ＮＢ  ＰＳＳシーケンス又はＮＢ  ＳＳＳシーケンス、５Ｇシステムでの新しい無線ＮＲ  ＰＳＳシーケンス又はＮＲ  ＳＳＳシーケンスのいずれか一つを含む。
【００１９】
第二の態様による不連続受信方法は、端末装置がネットワーク装置から送信されたＤＲＸ指示信号を受信し、前記ＤＲＸ指示信号が第一のシーケンスを含み、前記第一のシーケンスが、前記第一のシーケンスの後の不連続受信（ＤＲＸ）周期内のアクティブ期間内でウェイクアップ又はスリープするように前記端末装置に指示することに用いられ、前記端末装置がＭ個の装置グループのうちの一つの装置グループに属し、前記第一のシーケンスが前記端末装置の属する装置グループに対応し、前記Ｍ個の装置グループ内の異なる装置グループが異なる第一のシーケンスに対応し、Ｍが正整数であることと、前記端末装置が前記第一のシーケンスに基づき、前記第一のシーケンスの後のＤＲＸ周期内のアクティブ期間内でウェイクアップ又はスリープすることとを含む。
【００２０】
したがって、端末装置は、ネットワーク装置から送信された第一のシーケンスにより、第一のシーケンスの後のＤＲＸ周期内でウェイクアップ又はスリープする必要があるか否かを確定し、ウェイクアップする必要がない場合でスリープ状態を維持し、それによって電力消費を低減させる。ここで、該第一のシーケンスの設計が端末装置の特定情報例えば端末装置の属する装置グループ、端末装置の属するＴＡグループ、物理セル識別子などの情報と関連するため、異なる属性の端末装置はそれ自体に属する第一のシーケンスを効果的に識別し、該第一のシーケンスに基づいて対応する操作を実行することができる。
【００２１】
一つの可能な実施形態では、前記端末装置の属する装置グループは、前記端末装置の装置識別子（ＵＥ−ＩＤ）又は前記端末装置のアクセスレベルに基づいて確定される。
【００２２】
一つの可能な実施形態では、前記Ｍ個の装置グループに対応するＭ個の第一のシーケンスはＭ個の直交シーケンス、又はオフセット値が異なるＭ個のＺＣシーケンスである。
【００２３】
一つの可能な実施形態では、前記端末装置に対応する第一のシーケンスは、前記端末装置の属する装置グループ、及び前記端末装置の位置するページング領域（ＴＡ）に基づいて確定される。
【００２４】
一つの可能な実施形態では、前記端末装置がＮ個のＴＡグループのうちの一つのＴＡグループに属し、ここで、前記Ｍ個の装置グループの全ての端末装置のうち、異なる装置グルールに属し且つ異なるＴＡグループに属するＭ×Ｎ個の端末装置に対応するＭ×Ｎ個の第一のシーケンスは、Ｍ×Ｎ個の直交シーケンス、又はオフセット値が異なるＭ×Ｎ個のＺＣシーケンスであり、
又は、前記Ｍ個の装置グループに対応するＭ個の第一のシーケンスはオフセット値が異なるＭ個のＺＣシーケンスであり、且つ異なるＴＡグループに属する端末装置に対応するＺＣシーケンスは異なる第一のスクランブルコードによってスクランブルされ、前記異なる第一のスクランブルコードが前記異なるＴＡグループに基づいて生成され、Ｎが正整数である。
【００２５】
一つの可能な実施形態では、前記端末装置の属するＴＡグループの番号がｍｏｄ（ＴＡ  ｃｏｄｅ、Ｎ）であり、前記ＴＡ  ｃｏｄｅが前記端末装置の位置するＴＡのＴＡコードである。
【００２６】
一つの可能な実施形態では、前記端末装置に対応する前記第一のシーケンスは、前記端末装置の属する装置グループの情報、及び前記端末装置の位置するセルの物理セル識別子（ＰＣＩ）に基づいて確定される。
【００２７】
一つの可能な実施形態では、複数のセルが複数の初期シーケンスに対応し、前記複数のセルのそれぞれに対応する初期シーケンスが前記各セルのＰＣＩに基づいて生成され、Ｍ個の装置グループがＭ個の第二のスクランブルコードに対応し、前記各セルのうちの異なる装置グループに属する端末装置に対応する初期シーケンスは異なる第二のスクランブルコードによってスクランブルされる。
【００２８】
一つの可能な実施形態では、前記端末装置がネットワーク装置から送信された前記ＤＲＸ指示信号を受信することは、前記端末装置が前記ネットワーク装置とＴＡ内の他のネットワーク装置によって単一周波数ネットワーク（ＳＦＮ）を介して前記端末装置に同時に送信された前記第一のシーケンスを受信することを含む。
【００２９】
一つの可能な実施形態では、前記端末装置が前記ネットワーク装置とＴＡ内の他のネットワーク装置によって単一周波数ネットワーク（ＳＦＮ）を介して同時に送信された前記第一のシーケンスを受信することは、前記端末装置が前記ネットワーク装置によって拡張サイクリックプレフィックス（ＥＣＰ）を用いて送信された前記第一のシーケンスを受信することを含む。
【００３０】
一つの可能な実施形態では、前記ＤＲＸ指示信号がさらに第二のシーケンスを含み、前記第二のシーケンスが前記端末装置の位置するセルのＰＣＩに基づいて生成され、前記第一のシーケンスが前記ＤＲＸ情報の後のＤＲＸ周期内のアクティブ期間内でウェイクアップするように前記端末装置に指示する場合、前記方法はさらに前記端末装置が前記第二のシーケンスに基づいて時間周波数同期を行うことを含む。
【００３１】
一つの可能な実施形態では、前記第一のシーケンスは時間的に前記第二のシーケンスの前又は前記第二のシーケンスの後に位置する。
【００３２】
一つの可能な実施形態では、前記端末装置の位置するセルのＰＣＩは、長期進化型（ＬＴＥ）システムでのプライマリ同期信号（ＰＳＳ）シーケンス又はセカンダリ同期信号（ＳＳＳ）シーケンス、狭帯域のモノのインターネットシステム（ＮＢ−ＩｏＴ）での狭帯域ＮＢ  ＰＳＳシーケンス又はＮＢ  ＳＳＳシーケンス、５Ｇシステムでの新しい無線ＮＲ  ＰＳＳシーケンス又はＮＲ  ＳＳＳシーケンスのいずれか一つを含む。
【００３３】
第三の態様によるネットワーク装置は、上記第一の態様又は第一の態様のいずれかの選択可能な実施形態におけるネットワーク装置の操作を実行することができる。具体的には、該ネットワーク装置は、上記第一の態様又は第一の態様のいずれかの可能な実施形態におけるネットワーク装置の操作を実行するためのモジュールユニットを備えることができる。
【００３４】
第四の態様による端末装置は、上記第二の態様又は第二の態様のいずれかの選択可能な実施形態における端末装置の操作を実行することができる。具体的には、該端末装置は、上記第二の態様又は第二の態様のいずれかの可能な実施形態における端末装置の操作を実行するためのモジュールユニットを備えることができる。
【００３５】
第五の態様によるネットワーク装置は、プロセッサ、送受信機とメモリを備える。ここで、該プロセッサ、送受信機とメモリは内部接続パスを介して相互に通信する。該メモリは命令を記憶するように構成され、該プロセッサは該メモリに記憶された命令を実行するように構成される。該プロセッサが該メモリに記憶された命令を実行する場合、該実行により該ネットワーク装置は第一の態様又は第一の態様の任意の可能な実施形態における方法を実行し、又は該実行により該ネットワーク装置は第三の態様によるネットワーク装置を実現する。
【００３６】
第六の態様による端末装置は、プロセッサ、送受信機とメモリを備える。ここで、該プロセッサ、送受信機とメモリは内部接続パスを介して相互に通信する。該メモリは命令を記憶するように構成され、該プロセッサは該メモリに記憶された命令を実行するように構成される。該プロセッサが該メモリに記憶された命令を実行する場合、該実行により該端末装置は第二の態様又は第二の態様の任意の可能な実施形態における方法を実行し、又は該実行により該端末装置は第四の態様による端末装置を実現する。
【００３７】
第七の態様によるコンピュータ可読記憶媒体は、ネットワーク装置に上記第一の態様及びその様々な実施形態のいずれかの不連続受信方法を実行させるためのプログラムを記憶する。
【００３８】
第八の態様によるコンピュータ可読記憶媒体は、端末装置に上記第二の態様及びその様々な実施形態のいずれかの不連続受信方法を実行させるためのプログラムを記憶する。
【００３９】
第九の態様によるシステムチップは、入力インタフェース、出力インタフェース、プロセッサとメモリを備え、該プロセッサが該メモリに記憶された命令を実行するように構成され、該命令が実行される場合、該プロセッサが前記第一の態様又は第一の態様の任意の可能な実施形態における方法を実現することができる。
【００４０】
第十の態様によるシステムチップは、入力インタフェース、出力インタフェース、プロセッサとメモリを備え、該プロセッサが該メモリに記憶された命令を実行するように構成され、該命令が実行される場合、該プロセッサが前記第二の態様又は第二の態様の任意の可能な実施形態における方法を実現することができる。
【００４１】
第十一の態様による命令を含むコンピュータプログラム製品は、コンピュータで実行される場合、上記第一の態様又は第一の態様の任意の可能な実施形態における方法を実行する。
【００４２】
第十二の態様による命令を含むコンピュータプログラム製品は、コンピュータで実行される場合、上記第二の態様又は第二の態様の任意の可能な実施形態における方法を実行する。
【図面の簡単な説明】
【００４３】
【図１】本出願の実施例の一つの応用シーンの概略アーキテクチャ図である。
【図２】ＤＲＸ周期の概略図である。
【図３】本出願の実施例による不連続受信方法の概略フローチャートである。
【図４】本出願の別の実施例による不連続受信方法の概略フローチャートである。
【図５】本出願の実施例によるネットワーク装置の概略ブロック図である。
【図６】本出願の実施例による端末装置の概略ブロック図である。
【図７】本出願の実施例によるネットワーク装置の概略構造図である。
【図８】本出願の実施例による端末装置の概略構造図である。
【図９】本出願の実施例によるシステムチップの概略構造図である。
【発明を実施するための形態】
【００４４】
以下に図面を組み合わせながら本出願の実施例における技術的解決策を説明する。
【００４５】
理解すべきものとして、本出願の実施例の技術的解決策は様々な通信システム、例えばグローバルモバイル通信（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎ）システム、符号分割多元アクセス（ＣＤＭＡ：Ｃｏｄｅ  Ｄｉｖｉｓｉｏｎ  Ｍｕｌｔｉｐｌｅ  Ａｃｃｅｓｓ）システム、帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、長期進化型（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、汎用移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、及び将来の５Ｇ通信システムなどに応用されてもよい。
【００４６】
本出願は端末装置と組み合わせて各実施例を説明する。端末装置はユーザ装置（ＵＥ：Ｕｓｅｒ  Ｅｑｕｉｐｍｅｎｔ）、アクセス端末、加入者ユニット、加入者局、移動局、移動ステーション、遠隔局、遠隔端末、移動装置、ユーザ端末、端末、無線通信装置、ユーザエージェント又はユーザ装置を指すこともできる。アクセス端末はセルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）ステーション、パーソナルデジタル処理（ＰＤＡ：Ｐｅｒｓｏｎａ１  Ｄｉｇｉｔａ１  Ａｓｓｉｓｔａｎｔ）、無線通信機能を備えたハンドヘルドデバイス、コンピューティングデバイス又は無線モデムに接続された他の処理装置、車載デバイス、ウェアラブルデバイス、将来の５Ｇネットワークにおける端末装置又は将来の進化した移動通信ネットワーク（ＰＬＭＮ：Ｐｕｂｌｉｃ  Ｌａｎｄ  Ｍｏｂｉｌｅ  Ｎｅｔｗｏｒｋ）における端末装置などであってもよい。
【００４７】
本出願はネットワーク装置と組み合わせて各実施例を説明する。ネットワーク装置は端末装置と通信するための装置であってもよく、例えばＧＳＭシステム又はＣＤＭＡにおける基地局（ＢＴＳ：Ｂａｓｅ  Ｔｒａｎｓｃｅｉｖｅｒ  Ｓｔａｔｉｏｎ）であってもよいし、ＷＣＤＭＡシステムにおける基地局（ＮＢ：ＮｏｄｅＢ）であってもよいし、ＬＴＥシステムにおける進化型基地局（ｅＮＢ又はｅＮｏｄｅＢ：Ｅｖｏｌｕｔｉｏｎａｌ  Ｎｏｄｅ  Ｂ）であってもよく、又は該ネットワーク装置は中継局、アクセスポイント、車載デバイス、ウェアラブルデバイス及び将来の５Ｇネットワークにおけるネットワーク装置又は将来の進化したＰＬＭＮネットワークにおけるネットワーク側装置などであってもよい。
【００４８】
図１は本出願の実施例の一つの応用シーンの概略図である。図１における通信システムはネットワーク装置１０と端末装置２０を備えることができる。ネットワーク装置１０は端末装置２０に通信サービスを提供することに用いられ且つコアネットワークにアクセスし、端末装置２０はネットワーク装置１０から送信された同期信号、ブロードキャスト信号などを検索してネットワークにアクセスし、それによってネットワークとの通信を行うことができる。図１に示す矢印は端末装置２０とネットワーク装置１０の間のセルラーリンクによるアップリンク／ダウンリンク伝送を表すことができる。
【００４９】
本出願の実施例におけるネットワークは公衆陸上モバイルネットワーク（ＰＬＭＮ：Ｐｕｂｌｉｃ  Ｌａｎｄ  Ｍｏｂｉｌｅ  Ｎｅｔｗｏｒｋ）又はデバイスツデバイス（Ｄ２Ｄ：Ｄｅｖｉｃｅ  ｔｏ  Ｄｅｖｉｃｅ）ネットワーク装置又はマシンツマシン／マン（Ｍ２Ｍ：Ｍａｃｈｉｎｅ  ｔｏ  Ｍａｃｈｉｎｅ／Ｍａｎ）ネットワーク又は他のネットワークを指すことができ、図１は例の概略図であるだけであるが、ネットワークにおいて他の端末装置が含まれてもよく、図１に示されない。
【００５０】
端末装置のＤＲＸ周期（ＤＲＸ  Ｃｙｃｌｅ）にはアクティブ期間（ｏｎ  ｄｕｒａｔｉｏｎ）とスリープ期間（Ｏｐｐｏｒｔｕｎｉｔｙ  ｆｏｒ  ＤＲＸ）が含まれ、例えば、図２に示すように、端末装置はアクティブ期間即ちｏｎ  ｄｕｒａｔｉｏｎ期間内で物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）を検出（傍受）することができ、端末装置はスリープ期間内即ちＯｐｐｏｒｔｕｎｉｔｙ  ｆｏｒ  ＤＲＸ内で、ＰＤＣＣＨの受信の受信を停止する（この時に端末装置がＰＤＣＣＨ又はページングメッセージのブラインド検出を停止する）ことで電力消費を低減することができ、それによってバッテリーの耐用年数が増加する。ウェイクアップ期間内で端末装置がウェイク状態になってＰＤＣＣＨを検出し、スリープ期間内で端末装置はスリープ状態になってチャネル又は信号の検出を行わないと言える。
【００５１】
ネットワークが端末装置にＤＲＸ周期を配置し、端末装置がＰＤＣＣＨをアクティブ期間で周期的に検出するが、端末装置は、アクティブ期間で機会的にスケジューリングされるだけであり、さらには端末装置は負荷が非常に低い場合で、少数のＤＲＸ周期のみでスケジューリングされ、ＤＲＸメカニズムを用いたページングメッセージの場合、端末がページングメッセージを受信するタイミングがより少ない。したがって、端末装置は、ＤＲＸメカニズムが配置された後、ほとんどのＤＲＸ周期のアクティブ期間内で制御チャネルを検出しない可能性があるが、これらのＤＲＸのアクティブ期間内でもウェイクアップされ、このようにして不必要な電力消費が増加してしまう。
【００５２】
したがって、本出願の実施例では、端末装置は、ネットワーク装置から送信された第一のシーケンスにより、第一のシーケンスの後のＤＲＸ周期内でウェイクアップ又はスリープする必要があるか否かを確定し、ウェイクアップする必要がない場合でスリープ状態を維持し、それによって電力消費を低減させる。ここで、該第一のシーケンスの設計が端末装置の特定情報例えば端末装置の属する装置グループ、端末装置の属するＴＡグループ、物理セル識別子などの情報と関連するため、異なる属性の端末装置はそれ自体に属する第一のシーケンスを効果的に識別し、該第一のシーケンスに基づいて対応する操作を実行することができる。
【００５３】
本出願の実施例はＰＤＣＣＨの検出だけでなく、ページングメッセージの検出に用いられてもよい。ページングメッセージの伝送もＲＲＣアイドル（ｉｄｌｅ）状態にあるＤＲＸメカニズムであり、この時、ＤＲＸ周期が即ちページング周期である。ページング無線フレーム（ＰＦ：Ｐａｇｉｎｇ  Ｆｒａｍｅ）が一つの特定の無線フレームであり、又はシステムフレームと呼ばれ、端末装置は該ＰＦにおける特定のサブフレーム即ちページング時点（ＰＯ：Ｐａｇｉｎｇ  Ｏｃｃａｓｉｏｎ）においてページング（Ｐａｇｉｎｇ）メッセージの受信を試すことができる。該ＰＯにおいて、ページング無線ネットワークの一時的識別子（Ｐ−ＲＮＴＩ：Ｐａｇｉｎｇ  Ｒａｄｉｏ  Ｎｅｔｗｏｒｋ  Ｔｅｍｐｏｒｙ  Ｉｄｅｎｔｉｔｙ）を用いてスクランブルし且つ該ページングメッセージを示す物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）が伝送される可能性がある。ＤＲＸが使用される場合、端末装置は各ＤＲＸ周期（ＤＲＸ  ｃｙｃｌｅ）で１つのＰＯのみを検出する必要がある。即ち、各端末装置に対して、各ＤＲＸ周期内で１つのサブフレームだけがページングメッセージの送信に用いられてもよく、ＰＦは該ページングメッセージを送信するためのシステムフレームであり、ＰＯは該ＰＦ内の該ページング情報の送信に用いられるサブフレームである。
【００５４】
図３は本出願の実施例による不連続受信方法の概略フローチャートである。図３に示す方法はネットワーク装置によって実行されてもよく、該ネットワーク装置が例えば図１に示すネットワーク装置１１０であってもよい。図３に示すように、該不連続受信方法は以下を含む。
【００５５】
３１０において、ネットワーク装置は端末装置の属する装置グループの情報に基づき、該端末装置に対応する第一のシーケンスを確定する。
【００５６】
ここで、該第一のシーケンスは、該第一のシーケンスの後のＤＲＸ周期内のアクティブ期間内でウェイクアップ又はスリープするように該端末装置に指示することに用いられ、該端末装置がＭ個の装置グループのうちの一つの装置グループに属し、該第一のシーケンスは該端末装置の属する装置グループに対応し、該Ｍ個の装置グループ内の異なる装置グループが異なる第一のシーケンスに対応する。
【００５７】
３２０において、該端末装置が該第一のシーケンスに基づき、ネットワーク装置は該端末装置へＤＲＸ指示信号を送信し、該第一のシーケンスの後のＤＲＸ周期内のアクティブ期間内でウェイクアップ又はスリープするようにし、該ＤＲＸ指示信号が該第一のシーケンスを含む。
【００５８】
具体的には、該Ｍ個の装置グループ内の異なる装置グループが異なる第一のシーケンスに対応し、ネットワーク装置は異なる装置グループの端末装置へ異なる第一のシーケンスを送信し、Ｍ個の装置グループ内の異なる装置グループに属する端末装置によって受信された該第一のシーケンスが異なる。ネットワーク装置は、第一のシーケンスにより、その後の一つ又は複数のＤＲＸ周期内のアクティブ期間内でウェイクアップ又はスリープするかを端末装置に示す。ここで、端末装置に送信された該第一のシーケンスが端末装置の属する装置グループの情報と関連し、ネットワーク装置は該端末装置の属する装置グループの情報に基づき、該端末装置に対応する第一のシーケンスを確定し、端末装置へ該第一のシーケンスを含むＤＲＸ指示信号を送信し、これにより、端末装置は該ＤＲＸ指示信号を検出した後、該第一のシーケンスに基づき、その後のＤＲＸ周期内のアクティブ期間でウェイクアップ又はスリープするかを確定する。
【００５９】
選択可能に、３１０の前、即ちネットワーク装置が端末装置の属する装置グループの情報に基づき、該端末装置に対応する第一のシーケンスを確定する前に、該方法はさらにネットワーク装置が該端末装置の装置識別子（ＵＥ−ＩＤ：Ｕｅｓｒ  Ｅｑｕｉｐｍｅｎｔ  Ｉｄｅｎｔｉｔｙ）又は該端末装置のアクセスレベルに基づいて、該端末装置の属する装置グループを確定することを含む。
【００６０】
例えば、ｍｏｄ（ＵＥ−ＩＤ、Ｍ）で取得できる値は即ち端末装置の属する装置グループの番号であり、又は（ＵＥ−ＩＤ）ｍｏｄ  Ｍに書かれ、Ｍが装置グループの総数である。
【００６１】
本出願の実施例では該端末装置に対応する第一のシーケンスを確定する３つの方式が提供される。以下にそれぞれ説明する。
【００６２】
方式１
選択可能に、ネットワーク装置は端末装置の属する装置グループに基づき、該端末装置に対応する第一のシーケンスを直接確定する。
【００６３】
例えば、Ｍ個の装置グループが存在し、各装置グループに少なくとも一つの端末装置が含まれ、Ｍ個の装置グループがＭ個の第一のシーケンスに対応し、このＭ個の第一のシーケンスがＭ個の直交シーケンスであり、又はこのＭ個の第一のシーケンスはオフセット値が異なるＭ個のＺａｄｏｆｆ−Ｃｈｕ（ＺＣ）シーケンスである。Ｍ個の装置グループはＭ個の第一のシーケンスと一対一で対応することができ、又はＭ個の装置グループはオフセット値が異なるＭ個のＺＣシーケンスと一対一で対応することができる。
【００６４】
ネットワーク装置は端末装置の属する装置グループ、及びＭ個の装置グループとＭ個の直交シーケンスの間のマッピング関係に応じて、該端末装置に対応する第一のシーケンスがＭ個の直交シーケンスにおける、該端末装置の装置グループに対応する直交シーケンスであることを確定する。
【００６５】
又は、ネットワーク装置は端末装置の属する装置グループ、及びＭ個の装置グループとオフセット値が異なるＭ個のＺＣシーケンスの間のマッピング関係に応じて、該端末装置に対応する第一のシーケンスが、オフセット値が異なるＭ個のＺＣシーケンスにおける、該端末装置の装置グループに対応するＺＣシーケンスであることを確定する。
【００６６】
方式２
選択可能に、ネットワーク装置が端末装置の属する装置グループの情報に基づき、該端末装置に対応する第一のシーケンスを確定することは、ネットワーク装置が該端末装置の属する装置グループ、及び該端末装置の位置するページング領域（ＴＡ）又は呼ばれる追跡エリア（ＴＡ：Ｔｒａｃｋｉｎｇ  Ａｒｅａ）に基づき、該端末装置に対応する該第一のシーケンスを確定することを含む。
【００６７】
端末装置の位置するＴＡを考慮するため、異なるＴＡに位置する端末装置に対応する第一のシーケンスが異なる可能性があり、これにより、ＤＲＸ指示信号を検出する時の異なるＴＡにおける端末装置の相互干渉が低減される。
【００６８】
選択可能に、該端末装置がＮ個のＴＡグループのうちの一つのＴＡグループに属し、ここで、該Ｍ個の装置グループの全ての端末装置のうち、異なる装置グルールに属し且つ異なるＴＡグループに属するＭ×Ｎ個の端末装置に対応するＭ×Ｎ個の第一のシーケンスは、Ｍ×Ｎ個の直交シーケンス、又はオフセット値が異なるＭ×Ｎ個のＺＣシーケンスであり、又は該Ｍ個の装置グループに対応するＭ個の第一のシーケンスはオフセット値が異なるＭ個のＺＣシーケンスであり、且つ異なるＴＡグループに属する端末装置に対応するＺＣシーケンスは異なる第一のスクランブルコードによってスクランブルされ、該異なる第一のスクランブルコードが異なるＴＡグループに基づいて生成される。
【００６９】
例えば、異なる装置グループに属し且つ異なるＴＡグループに属するＭ×Ｎ個の端末装置はＭ×Ｎ個の直交シーケンスと一対一で対応し、又は、異なる装置グループに属し且つ異なるＴＡグループに属するＭ×Ｎ個の端末装置はオフセット値が異なるＭ×Ｎ個のＺＣシーケンスと一対一で対応する。
【００７０】
具体的には、端末装置をＭ個の装置グループに区分するとともに、端末装置のＴＡに基づき、端末装置をＮ個のＴＡグループに区分することができ、各ＴＡにＴＡグループにおける少なくとも一つの端末装置が含まる。異なる装置グループに属し且つ異なるＴＡグループに属する端末装置に対応する第一のシーケンスは、異なる第一のシーケンスとして構成される。例えば、該端末装置の属するＴＡグループの番号がｍｏｄ（ＴＡ  ｃｏｄｅ、Ｎ）であってもよく、又は（ＴＡ  ｃｏｄｅ）ｍｏｄ  Ｎに書かれてもよく、ＴＡ  ｃｏｄｅが前記端末装置の位置するＴＡのＴＡコード（ＴＡ  ｃｏｄｅ）である。
【００７１】
一つの方式では、異なる装置グループに属し且つ異なるＴＡグループに属するＭ×Ｎ個の端末装置をＭ×Ｎ個の第一のシーケンスに対応させ、このＭ×Ｎ個の第一のシーケンスをＭ×Ｎ個の直交シーケンス又はオフセット値が異なるＭ×Ｎ個のＺＣシーケンスにする。
【００７２】
別の方式では、該Ｍ個の装置グループに対応するＭ個の第一のシーケンスをオフセット値が異なるＭ個のＺＣシーケンスとして構成し、端末装置の属するＴＡグループに基づき、異なるＴＡグループに属する端末装置に対応するＺＣシーケンスを異なる第一のスクランブルコードを用いてスクランブルする。
【００７３】
このようにして、装置グループの異なる端末装置に対応する第一のシーケンスが異なるだけでなく、ＴＡグループの異なる端末装置に対応する第一のシーケンスも異なり、これにより、異なるＴＡグループの端末装置のＤＲＸ指示信号が互いに影響しない。
【００７４】
方式３
選択可能に、ネットワーク装置が端末装置の属する装置グループの情報に基づき、該端末装置に対応する第一のシーケンスを確定することは、ネットワーク装置が該端末装置の属する装置グループ、及び該端末装置の位置するセルの物理セル識別子（ＰＣＩ：Ｐｈｙｓｉｃａｌ  Ｃｅｌｌ  Ｉｄｅｎｔｉｆｉｅｒ）に基づき、該端末装置に対応する該第一のシーケンスを確定することを含む。
【００７５】
該端末装置に対応する第一のシーケンスが同時に該端末装置の位置するセルのＰＣＩに基づいて生成されてもよく、そのため、該第一のシーケンスは、後のデータが伝送するように、セル同期を行うために該端末装置によって用いられてもよい。
【００７６】
選択可能に、複数のセルが複数の初期シーケンスに対応し、前記複数のセルのそれぞれに対応する初期シーケンスが前記各セルのＰＣＩに基づいて生成され、Ｍ個の装置グループがＭ個の第二のスクランブルコードに対応し、前記各セルのうちの異なる装置グループに属する端末装置に対応する初期シーケンスは異なる第二のスクランブルコードによってスクランブルされる。
【００７７】
具体的には、ネットワーク装置は該第一の端末装置に対応する第一のシーケンスを生成する時に、該端末装置の属する装置グループの考慮に基づき、さらに該端末装置の物理セル識別子（ＰＣＩ）を考慮することができる。複数のセルが複数のＰＣＩと一対一で対応し、各セルがいずれもそれ自体の固有のＰＣＩに基づいてそれ自体の初期シーケンスを生成する。ネットワーク装置はある端末装置の位置するセルのＰＣＩに基づいて初期シーケンスを生成し、該端末装置の属する装置グループに基づき、該装置グループに対応する第二のスクランブルコードを確定し、該第二のスクランブルコードを用い、生成された該初期シーケンスをスクランブルし、それによって該端末装置に送信される該第一のシーケンスを取得することができる。即ち、あるセルの端末装置に対して、異なる装置グループに属する端末装置は、その初期シーケンスをスクランブルするための第二のスクランブルコードが異なり、該初期シーケンスが該セルのＰＣＩに基づいて生成される。
【００７８】
選択可能に、該端末装置の位置するセルのＰＣＩは、ＬＴＥシステムでのプライマリ同期信号（ＰＳＳ：Ｐｒｉｍａｒｙ  Ｓｙｎｃｈｒｏｎｉｚａｔｉｏｎ  Ｓｉｇｎａｌ）シーケンスとセカンダリ同期信号（ＳＳＳ：Ｓｅｃｏｎｄａｒｙ  Ｓｙｎｃｈｒｏｎｉｚａｔｉｏｎ  Ｓｉｇｎａｌ）シーケンス、狭帯域のモノのインターネットシステム（ＮＢ−ＩｏＴ：Ｎａｒｒｏｗ  Ｂａｎｄ  Ｉｎｔｅｒｎｅｔ  ｏｆ  Ｔｈｉｎｇｓ）での狭帯域ＮＢ  ＰＳＳシーケンス又はＮＢ  ＳＳＳシーケンス、５システムでのＮＲ  ＰＳＳシーケンス又はＮＲ  ＳＳＳシーケンスのいずれか一つを含む。
【００７９】
選択可能に、３２０において、ネットワーク装置が該端末装置へＤＲＸ指示信号を送信することは、ネットワーク装置と該端末装置の位置するＴＡ内の他のネットワーク装置が単一周波数ネットワーク（ＳＦＮ：Ｓｉｎｇｌｅ  Ｆｒｅｑｕｅｎｃｙ  Ｎｅｔｗｏｒｋ）を介して該端末装置へ該第一のシーケンスを同時に送信することを含む。
【００８０】
さらに、選択可能に、ネットワーク装置とＴＡ内の他のネットワーク装置がＳＦＮを介して該端末装置へ該第一のシーケンスを同時に送信することは、ネットワーク装置が拡張サイクリックプレフィックス（ＥＣＰ：Ｅｘｔｅｎｄｅｄ  Ｃｙｃｌｉｃ  Ｐｒｅｆｉｘ）を用いて該端末装置へ該第一のシーケンスを送信することを含む。
【００８１】
具体的には、ネットワーク装置は通常のサイクリックプレフィックス（Ｎｏｒｍａｌ  ＣＰ）又は拡張サイクリックプレフィックス（ＥＣＰ）を用いて該端末装置へ該第一のシーケンスを送信することができる。
【００８２】
３２０において、ネットワーク装置から該端末装置に送信されたＤＲＸ指示信号には第一のシーケンス以外、第二のシーケンスが含まれてもよい。上述した方式１と方式２に対して、選択可能に、３２０の前、即ちネットワーク装置が該端末装置へＤＲＸ指示情報を送信する前に、該方法はさらにネットワーク装置が該端末装置の位置するセルのＰＣＩに基づき、該第二のシーケンスを生成し、該第二のシーケンスが時間周波数同期を行うために該端末装置によって用いられることを含む。
【００８３】
ここで、該第一のシーケンスは時間的に該第二のシーケンスの前又は該第二のシーケンスの後に位置する。
【００８４】
好ましくは、該第一のシーケンスが該第二のシーケンスの前に位置し、このようにして、端末装置は、ＤＲＸ指示信号を検出した後、その中に含まれる第一のシーケンスに基づき、次にウェイクアップする必要があることを確定する場合、該端末装置は後の第二のシーケンスを直接用いて時間周波数同期を行うことができ、それによって後のアクティブ期間内のデータ伝送に有利である。
【００８５】
したがって、本出願の実施例では、ネットワーク装置は、端末装置へ第一のシーケンスを含む、第一のシーケンスの後のＤＲＸ周期内でウェイクアップ又はスリープする必要があるか否かを端末装置に示すためのＤＲＸ指示信号を送信し、ウェイクアップする必要がない場合でスリープ状態を維持することにより、電力消費を低減させる。ここで、該第一のシーケンスの設計が端末装置の特定情報例えば端末装置の属する装置グループ、端末装置の属するＴＡグループ、物理セル識別子などの情報と関連するため、異なる属性の端末装置はそれ自体に属する第一のシーケンスを効果的に識別し、該第一のシーケンスに基づいて対応する操作を実行することができる。
【００８６】
図４は本出願の実施例による不連続受信方法の概略フローチャートである。図４に示す方法は端末装置によって実行されてもよく、該端末装置が例えば図１に示す端末装置２０であってもよい。図４に示すように、該不連続受信方法は以下を含む。
【００８７】
４１０において、端末装置はネットワーク装置から送信されたＤＲＸ指示信号を受信し、前記ＤＲＸ指示信号が第一のシーケンスを含み、前記第一のシーケンスが、前記第一のシーケンスの後の不連続受信（ＤＲＸ）周期内のアクティブ期間内でウェイクアップ又はスリープするように前記端末装置に指示することに用いられ、前記端末装置がＭ個の装置グループのうちの一つの装置グループに属し、前記第一のシーケンスが前記端末装置の属する装置グループに対応し、前記Ｍ個の装置グループ内の異なる装置グループが異なる第一のシーケンスに対応する。
【００８８】
４２０において、端末装置は前記第一のシーケンスに基づき、前記第一のシーケンスの後のＤＲＸ周期内のアクティブ期間内でウェイクアップ又はスリープする。
【００８９】
したがって、本出願の実施例では、端末装置は、ネットワーク装置から送信された第一のシーケンスにより、第一のシーケンスの後のＤＲＸ周期内でウェイクアップ又はスリープする必要があるか否かを確定し、ウェイクアップする必要がない場合スリープ状態を維持し、それによって電力消費を低減させる。ここで、該第一のシーケンスの設計が端末装置の特定情報、例えば端末装置の属する装置グループ、端末装置の属するＴＡグループ、物理セル識別子などの情報と関連するため、異なる属性の端末装置はそれ自体に属する第一のシーケンスを効果的に識別し、該第一のシーケンスに基づいて対応する操作を実行することができる。
【００９０】
選択可能に、前記端末装置の属する装置グループは、前記端末装置の装置識別子（ＵＥ−ＩＤ）又は前記端末装置のアクセスレベルに基づいて確定される。
【００９１】
選択可能に、前記Ｍ個の装置グループに対応するＭ個の第一のシーケンスはＭ個の直交シーケンス、又はオフセット値が異なるＭ個のＺＣシーケンスである。
【００９２】
選択可能に、前記端末装置に対応する第一のシーケンスは、前記端末装置の属する装置グループ、及び前記端末装置の位置するページング領域（ＴＡ）に基づいて確定される。
【００９３】
選択可能に、前記端末装置がＮ個のＴＡグループのうちの一つのＴＡグループに属し、ここで、前記Ｍ個の装置グループの全ての端末装置のうち、異なる装置グルールに属し且つ異なるＴＡグループに属するＭ×Ｎ個の端末装置に対応するＭ×Ｎ個の第一のシーケンスは、Ｍ×Ｎ個の直交シーケンス、又はオフセット値が異なるＭ×Ｎ個のＺＣシーケンスであり、
又は、前記Ｍ個の装置グループに対応するＭ個の第一のシーケンスはオフセット値が異なるＭ個のＺＣシーケンスであり、且つ異なるＴＡグループに属する端末装置に対応するＺＣシーケンスは異なる第一のスクランブルコードによってスクランブルされ、前記異なる第一のスクランブルコードが前記異なるＴＡグループに基づいて生成される。
【００９４】
選択可能に、前記端末装置の属するＴＡグループの番号がｍｏｄ（ＴＡ  ｃｏｄｅ、Ｎ）であり、前記ＴＡ  ｃｏｄｅが前記端末装置の位置するＴＡのＴＡコードである。
【００９５】
選択可能に、前記端末装置に対応する第一のシーケンスは、前記端末装置の属する装置グループの情報、及び前記端末装置の位置するセルの物理セル識別子（ＰＣＩ）に基づいて確定される。
【００９６】
選択可能に、複数のセルが複数の初期シーケンスに対応し、前記複数のセルのそれぞれに対応する初期シーケンスが前記各セルのＰＣＩに基づいて生成され、Ｍ個の装置グループがＭ個の第二のスクランブルコードに対応し、前記各セルのうちの異なる装置グループに属する端末装置に対応する初期シーケンスは異なる第二のスクランブルコードによってスクランブルされる。
【００９７】
選択可能に、前記端末装置がネットワーク装置から送信された前記ＤＲＸ指示信号を受信することは、前記端末装置が前記ネットワーク装置とＴＡ内の他のネットワーク装置によって単一周波数ネットワーク（ＳＦＮ）を介して同時に送信された前記第一のシーケンスを受信することを含む。
【００９８】
選択可能に、前記端末装置が前記ネットワーク装置とＴＡ内の他のネットワーク装置によって単一周波数ネットワーク（ＳＦＮ）を介して同時に送信された前記第一のシーケンスを受信することは、前記端末装置が前記ネットワーク装置によって拡張サイクリックプレフィックス（ＥＣＰ）を用いて送信された前記第一のシーケンスを受信することを含む。
【００９９】
選択可能に、前記ＤＲＸ指示信号がさらに第二のシーケンスを含み、前記第二のシーケンスが前記端末装置の位置するセルのＰＣＩに基づいて生成され、前記第一のシーケンスが前記ＤＲＸ情報の後のＤＲＸ周期内のアクティブ期間内でウェイクアップするように前記端末装置に指示する場合、前記方法はさらに前記端末装置が前記第二のシーケンスに基づいて時間周波数同期を行うことを含む。
【０１００】
選択可能に、前記第一のシーケンスは時間的に前記第二のシーケンスの前又は前記第二のシーケンスの後に位置する。
【０１０１】
選択可能に、前記端末装置の位置するセルのＰＣＩは、長期進化型（ＬＴＥ）システムでのプライマリ同期信号（ＰＳＳ）シーケンス又はセカンダリ同期信号（ＳＳＳ）シーケンス、狭帯域のモノのインターネットシステム（ＮＢ−ＩｏＴ）での狭帯域ＮＢ  ＰＳＳシーケンス又はＮＢ  ＳＳＳシーケンス、５Ｇシステムでの新しい無線ＮＲ  ＰＳＳシーケンス又はＮＲ  ＳＳＳシーケンスのいずれか一つを含む。
【０１０２】
理解すべきものとして、端末装置がＤＲＸ指示信号を受信し、それに与えられた第一のシーケンスと第二のシーケンスに基づいて対応する操作を実行する具体的な詳細については、前記図３−図５におけるネットワーク装置に対する関連説明を参照することができ、簡潔にするために、ここでは説明を省略する。
【０１０３】
また、本出願の様々な実施例では、上記各プロセスの番号の大きさが実行順序を意味せず、各プロセスの実行順序はその機能と内部論理で確定されるべきであり、本出願の実施例の実施プロセスのいかなる限定を構成すべきではないと理解すべきである。
【０１０４】
図５は本出願の実施例によるネットワーク装置５００の概略ブロック図である。図５に示すように、該ネットワーク装置５００は確定ユニット５１０と送受信ユニット５２０を備える。ここで、
確定ユニット５１０は、端末装置の属する装置グループの情報に基づき、前記端末装置に対応する第一のシーケンスを確定するように構成され、前記第一のシーケンスが、前記第一のシーケンスの後の不連続受信（ＤＲＸ）周期内のアクティブ期間内でウェイクアップ又はスリープするように前記端末装置に指示することに用いられ、前記端末装置がＭ個の装置グループのうちの一つの装置グループに属し、前記第一のシーケンスが前記端末装置の属する装置グループに対応し、前記Ｍ個の装置グループ内の異なる装置グループが異なる第一のシーケンスに対応する。
【０１０５】
送受信ユニット５２０は、前記端末装置へＤＲＸ指示信号を送信し、前記端末装置が前記第一のシーケンスに基づき、前記第一のシーケンスの後のＤＲＸ周期内のアクティブ期間内でウェイクアップ又はスリープするようにするように構成され、前記ＤＲＸ指示信号が前記確定ユニットによって確定された前記第一のシーケンスを含む。
【０１０６】
したがって、ネットワーク装置は、端末装置へ第一のシーケンスを含む、第一のシーケンスの後のＤＲＸ周期内でウェイクアップ又はスリープする必要があるか否かを端末装置に示すためのＤＲＸ指示信号を送信し、ウェイクアップする必要がない場合でスリープ状態を維持することにより、電力消費を低減させる。ここで、該第一のシーケンスの設計が端末装置の特定情報例えば端末装置の属する装置グループ、端末装置の属するＴＡグループ、物理セル識別子などの情報と関連するため、異なる属性の端末装置はそれ自体に属する第一のシーケンスを効果的に識別し、該第一のシーケンスに基づいて対応する操作を実行することができる。
【０１０７】
選択可能に、前記確定ユニット５１０はさらに前記端末装置の装置識別子（ＵＥ−ＩＤ）又は前記端末装置のアクセスレベルに基づいて前記端末装置の属する装置グループを確定するように構成される。
【０１０８】
選択可能に、前記Ｍ個の装置グループに対応するＭ個の第一のシーケンスはＭ個の直交シーケンス、又はオフセット値が異なるＭ個のＺＣシーケンスである。
【０１０９】
選択可能に、前記確定ユニット５１０は具体的に前記端末装置の属する装置グループ、及び前記端末装置の位置するページング領域（ＴＡ）に基づいて前記端末装置に対応する前記第一のシーケンスを確定するように構成される。
【０１１０】
選択可能に、前記端末装置がＮ個のＴＡグループのうちの一つのＴＡグループに属し、ここで、前記Ｍ個の装置グループの全ての端末装置のうち、異なる装置グルールに属し且つ異なるＴＡグループに属するＭ×Ｎ個の端末装置に対応するＭ×Ｎ個の第一のシーケンスは、Ｍ×Ｎ個の直交シーケンス、又はオフセット値が異なるＭ×Ｎ個のＺＣシーケンスであり、
又は、前記Ｍ個の装置グループに対応するＭ個の第一のシーケンスはオフセット値が異なるＭ個のＺＣシーケンスであり、且つ異なるＴＡグループに属する端末装置に対応するＺＣシーケンスは異なる第一のスクランブルコードによってスクランブルされ、前記異なる第一のスクランブルコードが前記異なるＴＡグループに基づいて生成される。
【０１１１】
選択可能に、前記端末装置の属するＴＡグループの番号がｍｏｄ（ＴＡ  ｃｏｄｅ、Ｎ）であり、前記ＴＡ  ｃｏｄｅが前記端末装置の位置するＴＡのＴＡコードである。
【０１１２】
選択可能に、前記確定ユニット５１０は具体的に前記端末装置の属する装置グループ、及び前記端末装置の位置するセルの物理セル識別子（ＰＣＩ）に基づいて前記端末装置に対応する前記第一のシーケンスを確定するように構成される。
【０１１３】
選択可能に、複数のセルが複数の初期シーケンスに対応し、前記複数のセルのそれぞれに対応する初期シーケンスが前記各セルのＰＣＩに基づいて生成され、Ｍ個の装置グループがＭ個の第二のスクランブルコードに対応し、前記各セルのうちの異なる装置グループに属する端末装置に対応する初期シーケンスは異なる第二のスクランブルコードによってスクランブルされる。
【０１１４】
選択可能に、送受信ユニット５２０は具体的にＴＡ内の他のネットワーク装置と単一周波数ネットワーク（ＳＦＮ）を介して前記端末装置へ前記第一のシーケンスを同時に送信するように構成される。
【０１１５】
選択可能に、送受信ユニット５２０は具体的に前記ネットワーク装置が拡張サイクリックプレフィックス（ＥＣＰ）を用いて前記端末装置へ前記第一のシーケンスを送信するように構成される。
【０１１６】
選択可能に、前記ＤＲＸ指示信号がさらに第二のシーケンスを含み、前記ネットワーク装置は、前記端末装置の位置するセルのＰＣＩに基づき、前記第二のシーケンスを生成するように構成され、前記第二のシーケンスが、前記端末装置が時間周波数同期を行うことに用いられる処理ユニットを、さらに備える。
【０１１７】
選択可能に、前記第一のシーケンスは時間的に前記第二のシーケンスの前又は前記第二のシーケンスの後に位置する。
【０１１８】
選択可能に、前記端末装置の位置するセルのＰＣＩは、長期進化型（ＬＴＥ）システムでのプライマリ同期信号（ＰＳＳ）シーケンス又はセカンダリ同期信号（ＳＳＳ）シーケンス、狭帯域のモノのインターネットシステム（ＮＢ−ＩｏＴ）での狭帯域ＮＢ  ＰＳＳシーケンス又はＮＢ  ＳＳＳシーケンス、５Ｇシステムでの新しい無線ＮＲ  ＰＳＳシーケンス又はＮＲ  ＳＳＳシーケンスのいずれか一つを含む。
【０１１９】
図６は本出願の実施例による端末装置６００の概略ブロック図である。図６に示すように、該端末装置６００は、送受信ユニット６１０と処理ユニット６２０とを備える。ここで、
送受信ユニット６１０は、ネットワーク装置から送信されたＤＲＸ指示信号を受信するように構成され、前記ＤＲＸ指示信号が第一のシーケンスを含み、前記第一のシーケンスが、前記第一のシーケンスの後の不連続受信（ＤＲＸ）周期内のアクティブ期間内でウェイクアップ又はスリープするように前記端末装置に指示することに用いられ、前記端末装置がＭ個の装置グループのうちの一つの装置グループに属し、前記第一のシーケンスが前記端末装置の属する装置グループに対応し、前記Ｍ個の装置グループ内の異なる装置グループが異なる第一のシーケンスに対応する。
【０１２０】
処理ユニット６２０は、前記送受信ユニット６１０によって受信された前記第一のシーケンスに基づき、前記第一のシーケンスの後のＤＲＸ周期内のアクティブ期間内でウェイクアップ又はスリープするように構成される。
【０１２１】
したがって、端末装置は、ネットワーク装置から送信された第一のシーケンスにより、第一のシーケンスの後のＤＲＸ周期内でウェイクアップ又はスリープする必要があるか否かを確定し、ウェイクアップする必要がない場合でスリープ状態を維持し、それによって電力消費を低減させる。ここで、該第一のシーケンスの設計が端末装置の特定情報例えば端末装置の属する装置グループ、端末装置の属するＴＡグループ、物理セル識別子などの情報と関連するため、異なる属性の端末装置はそれ自体に属する第一のシーケンスを効果的に識別し、該第一のシーケンスに基づいて対応する操作を実行することができる。
【０１２２】
選択可能に、前記端末装置の属する装置グループは、前記端末装置の装置識別子（ＵＥ−ＩＤ）又は前記端末装置のアクセスレベルに基づいて確定される。
【０１２３】
選択可能に、前記Ｍ個の装置グループに対応するＭ個の第一のシーケンスはＭ個の直交シーケンス、又はオフセット値が異なるＭ個のＺＣシーケンスである。
【０１２４】
選択可能に、前記端末装置に対応する第一のシーケンスは、前記端末装置の属する装置グループ、及び前記端末装置の位置するページング領域（ＴＡ）に基づいて確定される。
【０１２５】
選択可能に、前記端末装置がＮ個のＴＡグループのうちの一つのＴＡグループに属し、ここで、前記Ｍ個の装置グループの全ての端末装置のうち、異なる装置グルールに属し且つ異なるＴＡグループに属するＭ×Ｎ個の端末装置に対応するＭ×Ｎ個の第一のシーケンスは、Ｍ×Ｎ個の直交シーケンス、又はオフセット値が異なるＭ×Ｎ個のＺＣシーケンスであり、
又は、前記Ｍ個の装置グループに対応するＭ個の第一のシーケンスはオフセット値が異なるＭ個のＺＣシーケンスであり、且つ異なるＴＡグループに属する端末装置に対応するＺＣシーケンスは異なる第一のスクランブルコードによってスクランブルされ、前記異なる第一のスクランブルコードが前記異なるＴＡグループに基づいて生成される。
【０１２６】
選択可能に、前記端末装置の属するＴＡグループの番号がｍｏｄ（ＴＡ  ｃｏｄｅ、Ｎ）であり、前記ＴＡ  ｃｏｄｅが前記端末装置の位置するＴＡのＴＡコードである。
【０１２７】
選択可能に、前記端末装置に対応する第一のシーケンスは、前記端末装置の属する装置グループの情報、及び前記端末装置の位置するセルの物理セル識別子（ＰＣＩ）に基づいて確定される。
【０１２８】
選択可能に、複数のセルが複数の初期シーケンスに対応し、前記複数のセルのそれぞれに対応する初期シーケンスが前記各セルのＰＣＩに基づいて生成され、Ｍ個の装置グループがＭ個の第二のスクランブルコードに対応し、前記各セルのうちの異なる装置グループに属する端末装置に対応する初期シーケンスは異なる第二のスクランブルコードによってスクランブルされる。
【０１２９】
選択可能に、前記送受信ユニット６１０は具体的に前記ネットワーク装置とＴＡ内の他のネットワーク装置によって単一周波数ネットワーク（ＳＦＮ）を介して同時に送信された前記第一のシーケンスを受信するように構成される。
【０１３０】
選択可能に、前記送受信ユニット６１０は具体的に前記ネットワーク装置によって拡張サイクリックプレフィックス（ＥＣＰ）を用いて送信された前記第一のシーケンスを受信するように構成される。
【０１３１】
選択可能に、前記ＤＲＸ指示信号がさらに第二のシーケンスを含み、前記第二のシーケンスが前記端末装置の位置するセルのＰＣＩに基づいて生成され、前記第一のシーケンスが前記ＤＲＸ情報の後のＤＲＸ周期内のアクティブ期間内でウェイクアップするように前記端末装置に指示する場合、前記処理ユニット６２０は、さらに前記第二のシーケンスに基づいて時間周波数同期を行うように構成される。
【０１３２】
選択可能に、前記第一のシーケンスは時間的に前記第二のシーケンスの前又は前記第二のシーケンスの後に位置する。
【０１３３】
選択可能に、前記端末装置の位置するセルのＰＣＩは、長期進化型（ＬＴＥ）システムでのプライマリ同期信号（ＰＳＳ）シーケンス又はセカンダリ同期信号（ＳＳＳ）シーケンス、狭帯域のモノのインターネットシステム（ＮＢ−ＩｏＴ）での狭帯域ＮＢ  ＰＳＳシーケンス又はＮＢ  ＳＳＳシーケンス、５Ｇシステムでの新しい無線ＮＲ  ＰＳＳシーケンス又はＮＲ  ＳＳＳシーケンスのいずれか一つを含む。
【０１３４】
図７は本出願の実施例によるネットワーク装置７００の概略構造図である。図７に示すように、該ネットワーク装置はプロセッサ７１０、送受信機７２０とメモリ７３０を備え、ここで、該プロセッサ７１０、送受信機７２０とメモリ７３０が内部接続パスを介して相互に通信する。該メモリ７３０は命令を記憶するように構成され、該プロセッサ７１０は、該メモリ７３０に記憶された命令を実行し、信号を受信又は送信するように該送受信機７２０を制御するように構成される。ここで、プロセッサ７１０は、
端末装置の属する装置グループの情報に基づき、前記端末装置に対応する第一のシーケンスを確定するように構成され、前記第一のシーケンスが、前記第一のシーケンスの後の不連続受信（ＤＲＸ）周期内のアクティブ期間内でウェイクアップ又はスリープするように前記端末装置に指示することに用いられ、前記端末装置がＭ個の装置グループのうちの一つの装置グループに属し、前記第一のシーケンスが前記端末装置の属する装置グループに対応し、前記Ｍ個の装置グループ内の異なる装置グループが異なる第一のシーケンスに対応する。
【０１３５】
送受信機７２０は、前記端末装置へＤＲＸ指示信号を送信し、前記端末装置が前記第一のシーケンスに基づき、前記第一のシーケンスの後のＤＲＸ周期内のアクティブ期間内でウェイクアップ又はスリープするようにするように構成され、前記ＤＲＸ指示信号が前記確定ユニットによって確定された前記第一のシーケンスを含む。
【０１３６】
したがって、ネットワーク装置は、端末装置へ第一のシーケンスを含む、第一のシーケンスの後のＤＲＸ周期内でウェイクアップ又はスリープする必要があるか否かを端末装置に示すためのＤＲＸ指示信号を送信し、ウェイクアップする必要がない場合でスリープ状態を維持することにより、電力消費を低減させる。ここで、該第一のシーケンスの設計が端末装置の特定情報例えば端末装置の属する装置グループ、端末装置の属するＴＡグループ、物理セル識別子などの情報と関連するため、異なる属性の端末装置はそれ自体に属する第一のシーケンスを効果的に識別し、該第一のシーケンスに基づいて対応する操作を実行することができる。
【０１３７】
選択可能に、前記プロセッサ７１０はさらに前記端末装置の装置識別子（ＵＥ−ＩＤ）又は前記端末装置のアクセスレベルに基づいて前記端末装置の属する装置グループを確定するように構成される。
【０１３８】
選択可能に、前記Ｍ個の装置グループに対応するＭ個の第一のシーケンスはＭ個の直交シーケンス、又はオフセット値が異なるＭ個のＺＣシーケンスである。
【０１３９】
選択可能に、前記プロセッサ７１０は具体的に前記端末装置の属する装置グループ、及び前記端末装置の位置するページング領域（ＴＡ）に基づいて前記端末装置に対応する前記第一のシーケンスを確定するように構成される。
【０１４０】
選択可能に、前記端末装置がＮ個のＴＡグループのうちの一つのＴＡグループに属し、ここで、前記Ｍ個の装置グループの全ての端末装置のうち、異なる装置グルールに属し且つ異なるＴＡグループに属するＭ×Ｎ個の端末装置に対応するＭ×Ｎ個の第一のシーケンスは、Ｍ×Ｎ個の直交シーケンス、又はオフセット値が異なるＭ×Ｎ個のＺＣシーケンスであり、
又は、前記Ｍ個の装置グループに対応するＭ個の第一のシーケンスはオフセット値が異なるＭ個のＺＣシーケンスであり、且つ異なるＴＡグループに属する端末装置に対応するＺＣシーケンスは異なる第一のスクランブルコードによってスクランブルされ、前記異なる第一のスクランブルコードが前記異なるＴＡグループに基づいて生成される。
【０１４１】
選択可能に、前記端末装置の属するＴＡグループの番号がｍｏｄ（ＴＡ  ｃｏｄｅ、Ｎ）であり、前記ＴＡ  ｃｏｄｅが前記端末装置の位置するＴＡのＴＡコードである。
【０１４２】
選択可能に、前記プロセッサ７１０は具体的に前記端末装置の属する装置グループ、及び前記端末装置の位置するセルの物理セル識別子（ＰＣＩ）に基づいて前記端末装置に対応する前記第一のシーケンスを確定するように構成される。
【０１４３】
選択可能に、複数のセルが複数の初期シーケンスに対応し、前記複数のセルのそれぞれに対応する初期シーケンスが前記各セルのＰＣＩに基づいて生成され、Ｍ個の装置グループがＭ個の第二のスクランブルコードに対応し、前記各セルのうちの異なる装置グループに属する端末装置に対応する初期シーケンスは異なる第二のスクランブルコードによってスクランブルされる。
【０１４４】
選択可能に、前記送受信機７２０は具体的にＴＡ内の他のネットワーク装置と単一周波数ネットワーク（ＳＦＮ）を介して前記端末装置へ前記第一のシーケンスを同時に送信するように構成される。
【０１４５】
選択可能に、前記送受信機７２０は具体的に前記ネットワーク装置によって拡張サイクリックプレフィックス（ＥＣＰ）を用いて前記端末装置へ前記第一のシーケンスを送信するように構成される。
【０１４６】
選択可能に、前記ＤＲＸ指示信号がさらに第二のシーケンスを含み、前記ネットワーク装置は、前記端末装置の位置するセルのＰＣＩに基づき、前記第二のシーケンスを生成するように構成され、前記第二のシーケンスが、前記端末装置が時間周波数同期を行うことに用いられる処理ユニットを、さらに備える。
【０１４７】
選択可能に、前記第一のシーケンスは時間的に前記第二のシーケンスの前又は前記第二のシーケンスの後に位置する。
【０１４８】
選択可能に、前記端末装置の位置するセルのＰＣＩは、長期進化型（ＬＴＥ）システムでのプライマリ同期信号（ＰＳＳ）シーケンス又はセカンダリ同期信号（ＳＳＳ）シーケンス、狭帯域のモノのインターネットシステム（ＮＢ−ＩｏＴ）での狭帯域ＮＢ  ＰＳＳシーケンス又はＮＢ  ＳＳＳシーケンス、５Ｇシステムでの新しい無線ＮＲ  ＰＳＳシーケンス又はＮＲ  ＳＳＳシーケンスのいずれか一つを含む。
【０１４９】
理解すべきものとして、本出願の実施例では、該プロセッサ７１０は中央処理ユニット（ＣＰＵ：Ｃｅｎｔｒａｌ  Ｐｒｏｃｅｓｓｉｎｇ  Ｕｎｉｔ）であってもよく、該プロセッサ７１０はさらに他の汎用プロセッサ、デジタル信号プロセッサ（ＤＳＰ：Ｄｉｇｉｔａｌ  Ｓｉｇｎａｌ  Ｐｒｏｃｅｓｓｏｒ）、専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブルロジックデバイス、ディスクリートゲート又はトランジスタロジックデバイス、  ディスクリートハードウェアコンポーネントなどであってもよい。汎用プロセッサはマイクロプロセッサであってもよく、又は該プロセッサはいずれかの従来のプロセッサなどであってもよい。
【０１５０】
該メモリ７３０は読み取り専用メモリとランダムアクセスメモリを含み、プロセッサ７１０へ命令とデータを提供することができる。メモリ７３０の一部はさらに不揮発性ランダムアクセスメモリを含むことができる。
【０１５１】
実施プロセスでは、上記方法の各ステップは、プロセッサ７１０内のハードウェアの集積論理回路又はソフトウェアの形の命令によって完されてもよい。本出願の実施例と組み合わせて開示される測位方法のステップはハードウェアプロセッサによって実行されて完了され、又はプロセッサ７１０におけるハードウェア及びソフトウェアモジュールの組み合わせで実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリ７３０に位置し、プロセッサ７１０はメモリ７３０における情報を読み取り、そのハードウェアと組み合わせて上記方法のステップを完了する。繰り返しを回避するために、ここでは詳細な説明を省略する。
【０１５２】
本出願の実施例によるネットワーク装置７００は、上記方法３００における方法３００を実行するためのネットワーク装置、及び本出願の実施例によるネットワーク装置５００に対応することができ、該ネットワーク装置７００内の各ユニット又はモジュールは、それぞれ上記方法３００におけるネットワーク装置によって実行される各動作又は処理プロセスを実行することに用いられ、ここで、繰り返し説明を回避するために、その詳細な説明を省略する。
【０１５３】
図８は本出願の実施例による端末装置８００の概略構造図である。図８に示すように、該端末装置はプロセッサ８１０、送受信機８２０とメモリ８３０を備え、ここで、該プロセッサ８１０、送受信機８２０とメモリ８３０が内部接続パスを介して相互に通信する。該メモリ８３０は命令を記憶するように構成され、該プロセッサ８１０は、該メモリ８３０に記憶された命令を実行し、信号を受信又は送信するように該送受信機８２０を制御するように構成される。ここで、該送受信機８２０は、
ネットワーク装置から送信されたＤＲＸ指示信号を受信するように構成され、前記ＤＲＸ指示信号が第一のシーケンスを含み、前記第一のシーケンスが、前記第一のシーケンスの後の不連続受信（ＤＲＸ）周期内のアクティブ期間内でウェイクアップ又はスリープするように前記端末装置に指示することに用いられ、前記端末装置がＭ個の装置グループのうちの一つの装置グループに属し、前記第一のシーケンスが前記端末装置の属する装置グループに対応し、前記Ｍ個の装置グループ内の異なる装置グループが異なる第一のシーケンスに対応する。
【０１５４】
プロセッサ８１０は、前記送受信機８２０によって受信された前記第一のシーケンスに基づき、前記第一のシーケンスの後のＤＲＸ周期内のアクティブ期間内でウェイクアップ又はスリープするように構成される。
【０１５５】
したがって、端末装置は、ネットワーク装置から送信された第一のシーケンスにより、第一のシーケンスの後のＤＲＸ周期内でウェイクアップ又はスリープする必要があるか否かを確定し、ウェイクアップする必要がない場合でスリープ状態を維持し、それによって電力消費を低減させる。ここで、該第一のシーケンスの設計が端末装置の特定情報例えば端末装置の属する装置グループ、端末装置の属するＴＡグループ、物理セル識別子などの情報と関連するため、異なる属性の端末装置はそれ自体に属する第一のシーケンスを効果的に識別し、該第一のシーケンスに基づいて対応する操作を実行することができる。
【０１５６】
選択可能に、前記端末装置の属する装置グループは、前記端末装置の装置識別子（ＵＥ−ＩＤ）又は前記端末装置のアクセスレベルに基づいて確定される。
【０１５７】
選択可能に、前記Ｍ個の装置グループに対応するＭ個の第一のシーケンスはＭ個の直交シーケンス、又はオフセット値が異なるＭ個のＺＣシーケンスである。
【０１５８】
選択可能に、前記端末装置に対応する第一のシーケンスは、前記端末装置の属する装置グループ、及び前記端末装置の位置するページング領域（ＴＡ）に基づいて確定される。
【０１５９】
選択可能に、前記端末装置がＮ個のＴＡグループのうちの一つのＴＡグループに属し、ここで、前記Ｍ個の装置グループの全ての端末装置のうち、異なる装置グルールに属し且つ異なるＴＡグループに属するＭ×Ｎ個の端末装置に対応するＭ×Ｎ個の第一のシーケンスは、Ｍ×Ｎ個の直交シーケンス、又はオフセット値が異なるＭ×Ｎ個のＺＣシーケンスであり、
又は、前記Ｍ個の装置グループに対応するＭ個の第一のシーケンスはオフセット値が異なるＭ個のＺＣシーケンスであり、且つ異なるＴＡグループに属する端末装置に対応するＺＣシーケンスは異なる第一のスクランブルコードによってスクランブルされ、前記異なる第一のスクランブルコードが前記異なるＴＡグループに基づいて生成される。
【０１６０】
選択可能に、前記端末装置の属するＴＡグループの番号がｍｏｄ（ＴＡ  ｃｏｄｅ、Ｎ）であり、前記ＴＡ  ｃｏｄｅが前記端末装置の位置するＴＡのＴＡコードである。
【０１６１】
選択可能に、前記端末装置に対応する第一のシーケンスは、前記端末装置の属する装置グループの情報、及び前記端末装置の位置するセルの物理セル識別子（ＰＣＩ）に基づいて確定される。
【０１６２】
選択可能に、複数のセルが複数の初期シーケンスに対応し、前記複数のセルのそれぞれに対応する初期シーケンスが前記各セルのＰＣＩに基づいて生成され、Ｍ個の装置グループがＭ個の第二のスクランブルコードに対応し、前記各セルのうちの異なる装置グループに属する端末装置に対応する初期シーケンスは異なる第二のスクランブルコードによってスクランブルされる。
【０１６３】
選択可能に、前記送受信機８２０は具体的に前記ネットワーク装置とＴＡ内の他のネットワーク装置によって単一周波数ネットワーク（ＳＦＮ）を介して同時に送信された前記第一のシーケンスを受信するように構成される。
【０１６４】
選択可能に、前記送受信機８２０は具体的に前記ネットワーク装置によって拡張サイクリックプレフィックス（ＥＣＰ）を用いて送信された前記第一のシーケンスを受信するように構成される。
【０１６５】
選択可能に、前記ＤＲＸ指示信号がさらに第二のシーケンスを含み、前記第二のシーケンスが前記端末装置の位置するセルのＰＣＩに基づいて生成され、前記第一のシーケンスが前記ＤＲＸ情報の後のＤＲＸ周期内のアクティブ期間内でウェイクアップするように前記端末装置に指示する場合、前記プロセッサ８１０は、さらに前記第二のシーケンスに基づいて時間周波数同期を行うように構成される。
【０１６６】
選択可能に、前記第一のシーケンスは時間的に前記第二のシーケンスの前又は前記第二のシーケンスの後に位置する。
【０１６７】
選択可能に、前記端末装置の位置するセルのＰＣＩは、長期進化型（ＬＴＥ）システムでのプライマリ同期信号（ＰＳＳ）シーケンス又はセカンダリ同期信号（ＳＳＳ）シーケンス、狭帯域のモノのインターネットシステム（ＮＢ−ＩｏＴ）での狭帯域ＮＢ  ＰＳＳシーケンス又はＮＢ  ＳＳＳシーケンス、５Ｇシステムでの新しい無線ＮＲ  ＰＳＳシーケンス又はＮＲ  ＳＳＳシーケンスのいずれか一つを含む。
【０１６８】
理解すべきものとして、本出願の実施例では、該プロセッサ８１０は中央処理ユニット（ＣＰＵ：Ｃｅｎｔｒａｌ  Ｐｒｏｃｅｓｓｉｎｇ  Ｕｎｉｔ）であってもよく、該プロセッサ８１０はさらに他の汎用プロセッサ、デジタル信号プロセッサ（ＤＳＰ）、専用集積回路（ＡＳＩＣ）、フィールドプログラマブルゲートアレイ（ＦＰＧＡ）又は他のプログラマブルロジックデバイス、ディスクリートゲート又はトランジスタロジックデバイス、  ディスクリートハードウェアコンポーネントなどであってもよい。汎用プロセッサはマイクロプロセッサであってもよく、又は該プロセッサはいずれかの従来のプロセッサなどであってもよい。
【０１６９】
該メモリ８３０は読み取り専用メモリとランダムアクセスメモリを含み、プロセッサ８１０へ命令とデータを提供することができる。メモリ８３０の一部はさらに不揮発性ランダムアクセスメモリを含むことができる。実施プロセスでは、上記方法の各ステップは、プロセッサ８１０内のハードウェアの集積論理回路又はソフトウェアの形の命令によって完されてもよい。本出願の実施例と組み合わせて開示された測位方法のステップはハードウェアプロセッサによって実行されて完了され、又はプロセッサ８１０におけるハードウェア及びソフトウェアモジュールの組み合わせで実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリ８３０に位置し、プロセッサ８１０はメモリ８３０における情報を読み取り、そのハードウェアと組み合わせて上記方法のステップを完了する。繰り返しを回避するために、ここで詳細な説明を省略する。
【０１７０】
本出願の実施例による端末装置８００は、上記方法４００における方法４００を実行するための端末装置、及び本出願の実施例による端末装置６００に対応することができ、該端末装置８００内の各ユニット又はモジュールは、それぞれ上記方法４００における端末装置によって実行される各動作又は処理プロセスを実行することに用いられ、ここで、繰り返し説明を回避するために、その詳細な説明を省略する。
【０１７１】
図９は本出願の実施例によるシステムチップの概略構造図である。図９のシステムチップ９００は入力インタフェース９０１、出力インタフェース９０２、少なくとも一つのプロセッサ９０３、メモリ９０４を備え、前記入力インタフェース９０１、出力インタフェース９０２、前記プロセッサ９０３及びメモリ９０４が内部接続パスを介して接続される。前記プロセッサ９０３は前記メモリ９０４でのコードを実行するように構成される。
【０１７２】
選択可能に、前記コードが実行される場合、前記プロセッサ９０３は方法の実施例におけるネットワーク装置によって実行される方法３００を実現することができる。簡潔にするために、ここでは説明を省略する。
【０１７３】
選択可能に、前記コードが実行される場合、前記プロセッサ９０３は方法の実施例における端末装置によって実行される方法４００を実現することができる。簡潔にするために、ここでは説明を省略する。
【０１７４】
当業者であれば、本明細書で開示される実施例と組み合わせて説明された各例のユニット及びアルゴリズムステップは、電子ハードウェア、又はコンピュータソフトウェアと電子ハードウェアの組み合わせで実現されてもよいと理解できる。これらの機能がハードウエア又はソフトウエアで実行されるかは、技術的解決策の特定アプリケーションと設計制約条件に依存する。当業者は各特定のアプリケーションに対して異なる方法を用いて記述される機能を実現することができるが、このような実現は本出願の範囲を超えると考えられるべきではない。
【０１７５】
当業者は、便利及び簡潔に説明するために、上記のシステム、装置及びユニットの具体的な動作プロセスについて、前記方法の実施例における対応するプロセスを参照でき、ここで説明を省略することを明確に理解することができる。
【０１７６】
本出願が提供する、いくつかの実施例では、開示されるシステム、装置及び方法は、他の方式により実現されてもよいと理解すべきである。例えば、上記の装置の実施例は例示的なものだけであり、例えば、該ユニットの区分は、論理機能的区分だけであり、実際に実施する時に他の区分方式もあり得て、例えば複数のユニット又は構成要素は組み合わせられてもよく又は別のシステムに統合されてもよく、又はいくつかの特徴は無視されてもよく、又は実行されなくてもよい。また、示される又は議論される相互結合又は直接結合又は通信接続はいくつかのインターフェース、装置又はユニットを介する間接的結合又は通信接続であってもよく、電気的、機械的又は他の形態であってもよい。
【０１７７】
分離部材として説明される該ユニットは物理的に分離するものであってもよく又は物理的に分離するものでなくてもよく、ユニットとして表示された部材は物理ユニットであってもよく又は物理ユニットでなくてもよく、即ち一つの箇所に位置してもよく、又は複数のネットワークユニットに分布してもよい。実際のニーズに応じてそのうちの一部又は全てのユニットを選択して本実施例の解決策の目的を達成することができる。
【０１７８】
また、本出願の各実施例における各機能ユニットは一つの監視ユニットに統合されてもよく、個々のユニットは単独で物理的に存在してもよく、二つ又は二つ以上のユニットは一つのユニットに統合されてもよい。
【０１７９】
該機能はソフトウェア機能ユニットの形態で実現され且つ独立した製品として販売又は使用される時に、一つのコンピュータ読み取り可能な記憶媒体に格納されてもよい。このような理解に基づき、本出願の技術的解決策は本質的に、又は従来技術に寄与する部分又は該技術的解決策の部分がソフトウェア製品の形で実現されてもよく、該コンピュータソフトウェア製品がコンピュータ装置（パーソナルコンピュータ、サーバ、又はネットワークデバイス等であってもよい）に本出願の様々な実施例に記載された方法の全て又は一部のステップを実行させるためのいくつかの命令を含む、記憶媒体に記憶される。前記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０１８０】
以上は、本出願の具体的な実施形態だけであるが、本出願の実施例の保護範囲はこれに制限されず、当業者が本出願の実施例で開示された技術範囲内で容易に想到し得る変化又は入れ替わりが全て本出願の保護範囲以内に含まれるべきである。従って、本出願の実施例の保護範囲は請求項の保護範囲に準拠するべきである。
【図１】
2021500768.tif 000003
【図２】
2021500768.tif 000004
【図３】
2021500768.tif 000005
【図４】
2021500768.tif 000006
【図５】
2021500768.tif 000007
【図６】
2021500768.tif 000008
【図７】
2021500768.tif 000009
【図８】
2021500768.tif 000010
【図９】
2021500768.tif 000011
【手続補正書】
【提出日】令和2年8月19日(2020.8.19)
【手続補正１】
【補正対象書類名】特許請求の範囲
【補正対象項目名】全文
【補正方法】変更
【補正の内容】
【特許請求の範囲】
【請求項１】
不連続受信方法であって、
端末装置が、ネットワーク装置から送信されたＤＲＸ指示信号を受信し、前記ＤＲＸ指示信号が第一のシーケンスを含み、前記第一のシーケンスが、前記第一のシーケンスの後の不連続受信（ＤＲＸ）周期内のアクティブ期間内でウェイクアップ又はスリープするように前記端末装置に指示することに用いられ、前記端末装置がＭ個の装置グループのうちの一つの装置グループに属し、前記第一のシーケンスが前記端末装置の属する装置グループに対応し、前記Ｍ個の装置グループ内の異なる装置グループが異なる第一のシーケンスに対応し、Ｍが正整数であることと、
前記端末装置が、前記第一のシーケンスに基づき、前記第一のシーケンスの後のＤＲＸ周期内のアクティブ期間内でウェイクアップ又はスリープすることとを含む、前記不連続受信方法。
【請求項２】
前記端末装置の属する装置グループは、前記端末装置の装置識別子（ＵＥ−ＩＤ）又は前記端末装置のアクセスレベルに基づいて確定されることを特徴とする
請求項１に記載の方法。
【請求項３】
前記Ｍ個の装置グループに対応するＭ個の第一のシーケンスはＭ個の直交シーケンス、又はオフセット値が異なるＭ個のＺＣシーケンスであることを特徴とする
請求項１又は２に記載の方法。
【請求項４】
前記端末装置に対応する第一のシーケンスは、前記端末装置の属する装置グループの情報、及び前記端末装置の位置するセルの物理セル識別子（ＰＣＩ）に基づいて確定されることを特徴とする
請求項１又は２に記載の方法。
【請求項５】
複数のセルが複数の初期シーケンスに対応し、前記複数のセルのそれぞれに対応する初期シーケンスが前記各セルのＰＣＩに基づいて生成され、Ｍ個の装置グループがＭ個の第二のスクランブルコードに対応し、前記各セルのうちの異なる装置グループに属する端末装置に対応する初期シーケンスは異なる第二のスクランブルコードによってスクランブルされることを特徴とする
請求項４に記載の方法。
【請求項６】
ネットワーク装置であって、
端末装置の属する装置グループの情報に基づき、前記端末装置に対応する第一のシーケンスを確定するように構成され、前記第一のシーケンスが、前記第一のシーケンスの後の不連続受信（ＤＲＸ）周期内のアクティブ期間内でウェイクアップ又はスリープするように前記端末装置に指示することに用いられ、前記端末装置がＭ個の装置グループのうちの一つの装置グループに属し、前記第一のシーケンスが前記端末装置の属する装置グループに対応し、前記Ｍ個の装置グループ内の異なる装置グループが異なる第一のシーケンスに対応する確定ユニットと、
前記端末装置へＤＲＸ指示信号を送信し、前記端末装置が前記第一のシーケンスに基づき、前記第一のシーケンスの後のＤＲＸ周期内のアクティブ期間内でウェイクアップ又はスリープするようにするように構成され、前記ＤＲＸ指示信号が前記確定ユニットによって確定された前記第一のシーケンスを含む送受信ユニットとを備える、前記ネットワーク装置。
【請求項７】
前記確定ユニットはさらに、
前記端末装置の装置識別子（ＵＥ−ＩＤ）又は前記端末装置のアクセスレベルに基づいて前記端末装置の属する装置グループを確定するように構成されることを特徴とする
請求項６に記載のネットワーク装置。
【請求項８】
前記Ｍ個の装置グループに対応するＭ個の第一のシーケンスはＭ個の直交シーケンス、又はオフセット値が異なるＭ個のＺＣシーケンスであることを特徴とする
請求項６又は７に記載のネットワーク装置。
【請求項９】
前記確定ユニットは具体的に、
前記端末装置の属する装置グループ、及び前記端末装置の位置するセルの物理セル識別子（ＰＣＩ）に基づいて前記端末装置に対応する前記第一のシーケンスを確定するように構成されることを特徴とする
請求項６又は７に記載のネットワーク装置。
【請求項１０】
複数のセルが複数の初期シーケンスに対応し、前記複数のセルのそれぞれに対応する初期シーケンスが前記各セルのＰＣＩに基づいて生成され、Ｍ個の装置グループがＭ個の第二のスクランブルコードに対応し、前記各セルのうちの異なる装置グループに属する端末装置に対応する初期シーケンスは異なる第二のスクランブルコードによってスクランブルされることを特徴とする
請求項９に記載のネットワーク装置。
【請求項１１】
不連続受信の端末装置であって、
ネットワーク装置から送信されたＤＲＸ指示信号を受信するように構成され、前記ＤＲＸ指示信号が第一のシーケンスを含み、前記第一のシーケンスが、前記第一のシーケンスの後の不連続受信（ＤＲＸ）周期内のアクティブ期間内でウェイクアップ又はスリープするように前記端末装置に指示することに用いられ、前記端末装置がＭ個の装置グループのうちの一つの装置グループに属し、前記第一のシーケンスが前記端末装置の属する装置グループに対応し、前記Ｍ個の装置グループ内の異なる装置グループが異なる第一のシーケンスに対応し、Ｍが正整数である送受信ユニットと、
前記送受信ユニットによって受信された前記第一のシーケンスに基づき、前記第一のシーケンスの後のＤＲＸ周期内のアクティブ期間内でウェイクアップ又はスリープするように構成される処理ユニットとを備える、不連続受信の端末装置。
【請求項１２】
前記端末装置の属する装置グループは、前記端末装置の装置識別子（ＵＥ−ＩＤ）又は前記端末装置のアクセスレベルに基づいて確定されることを特徴とする
請求項１１に記載の端末装置。
【請求項１３】
前記Ｍ個の装置グループに対応するＭ個の第一のシーケンスはＭ個の直交シーケンス、又はオフセット値が異なるＭ個のＺＣシーケンスであることを特徴とする
請求項１１又は１２に記載の端末装置。
【請求項１４】
前記端末装置に対応する第一のシーケンスは、前記端末装置の属する装置グループの情報、及び前記端末装置の位置するセルの物理セル識別子（ＰＣＩ）に基づいて確定されることを特徴とする
請求項１１又は１２に記載の端末装置。
【請求項１５】
複数のセルが複数の初期シーケンスに対応し、前記複数のセルのそれぞれに対応する初期シーケンスが前記各セルのＰＣＩに基づいて生成され、Ｍ個の装置グループがＭ個の第二のスクランブルコードに対応し、前記各セルのうちの異なる装置グループに属する端末装置に対応する初期シーケンスは異なる第二のスクランブルコードによってスクランブルされることを特徴とする
請求項１４に記載の端末装置。
【国際調査報告】
2021500768.tif 000012
2021500768.tif 000013
2021500768.tif 000014
2021500768.tif 000015
2021500768.tif 000016
2021500768.tif 000017